(57)【特許請求の範囲】
【請求項１】
時分割多重構成を実装するための方法であって、
プライマリ基地局により、セカンダリ基地局により送信されたセカンダリ・サービング・セルの時分割多重（ＴＤＤ）構成情報および前記セカンダリ・サービング・セルのアイデンティティを受信するステップであって、前記セカンダリ・サービング・セルの前記ＴＤＤ構成情報は前記セカンダリ・サービング・セルに対して前記セカンダリ基地局により決定されるステップと、
前記プライマリ基地局により、前記セカンダリ・サービング・セルの前記ＴＤＤ構成情報および前記セカンダリ・サービング・セルのアイデンティティを、前記プライマリ基地局および前記セカンダリ基地局と同時に接続を維持する端末に送信するステップと、
を含む、方法。
【請求項２】
プライマリ基地局により、セカンダリ基地局により送信された前記セカンダリ基地局の前記セカンダリ・サービング・セルのＴＤＤ構成情報および前記セカンダリ・サービング・セルのアイデンティティを受信するステップは、前記プライマリ基地局により、前記セカンダリ基地局が送信した第１のメッセージを受信するステップであって、前記第１のメッセージは第１の時点、前記セカンダリ・サービング・セルの前記ＴＤＤ構成情報、および前記セカンダリ・サービング・セルのアイデンティティを含み、前記第１の時点は前記プライマリ基地局が第２のメッセージを前記端末に送信する時点であるステップを含み、
前記プライマリ基地局により、前記セカンダリ・サービング・セルの前記ＴＤＤ構成情報および前記セカンダリ・サービング・セルのアイデンティティを端末に送信するステップは、前記第１の時点で、前記プライマリ基地局により、前記第２のメッセージを前記端末に送信するステップであって、前記第２のメッセージは前記セカンダリ・サービング・セルの前記ＴＤＤ構成情報および前記セカンダリ・サービング・セルのアイデンティティを含むステップを含む、
請求項１に記載の方法。
【請求項３】
プライマリ基地局により、セカンダリ基地局により送信された前記セカンダリ・サービング・セルの時分割多重ＴＤＤ構成情報および前記セカンダリ・サービング・セルのアイデンティティを受信するステップは、前記プライマリ基地局により、前記セカンダリ基地局が送信した第１のメッセージを受信するステップであって、前記第１のメッセージは第２の時点、前記セカンダリ・サービング・セルの前記ＴＤＤ構成情報、および前記セカンダリ・サービング・セルのアイデンティティを含み、前記第２の時点は前記セカンダリ・サービング・セルの前記ＴＤＤ構成情報が前記セカンダリ基地局と前記端末で有効になった時点であるステップを含み、
前記プライマリ基地局により、前記セカンダリ・サービング・セルの前記ＴＤＤ構成情報および前記セカンダリ・サービング・セルのアイデンティティを端末に送信するステップは、前記第２の時点に到達する前に、前記プライマリ基地局により、前記第１のメッセージを前記端末に送信するステップを含む、
請求項１に記載の方法。
【請求項４】
前記プライマリ基地局により、第３の時点を決定するステップをさらに含み、
前記第３の時点は、予め記憶された第１の期間を前記プライマリ基地局が前記セカンダリ・サービング・セルの前記ＴＤＤ構成情報および前記セカンダリ・サービング・セルのアイデンティティを受信した時点に追加することによって得られ、前記第３の時点は前記セカンダリ・サービング・セルの前記ＴＤＤ構成情報が前記端末で有効になった時点であり、前記第１の期間は、前記セカンダリ基地局が前記セカンダリ・サービング・セルの前記ＴＤＤ構成情報と前記セカンダリ・サービング・セルのアイデンティティを送信した時点および前記セカンダリ・サービング・セルの前記ＴＤＤ構成情報が前記セカンダリ基地局で有効になるデフォルトの時点の間の時間間隔であり、
前記プライマリ基地局により、前記セカンダリ・サービング・セルの前記ＴＤＤ構成情報および前記セカンダリ・サービング・セルのアイデンティティを端末に送信するステップは、前記第３の時点に到達する前に前記プライマリ基地局により、第２のメッセージを前記端末に送信するステップであって、前記第２のメッセージは、前記第３の時点、前記セカンダリ・サービング・セルの前記ＴＤＤ構成情報、および前記セカンダリ・サービング・セルのアイデンティティを含むステップを含む、
請求項１に記載の方法。
【請求項５】
時分割多重構成を実装するための方法であって、
セカンダリ基地局により、前記セカンダリ基地局のセカンダリ・サービング・セルに対する時分割多重（ＴＤＤ）構成情報を決定するステップと、
前記セカンダリ基地局により、前記セカンダリ・サービング・セルの前記ＴＤＤ構成情報および前記セカンダリ・サービング・セルのアイデンティティをプライマリ基地局に送信して、前記プライマリ基地局が前記セカンダリ・サービング・セルの前記ＴＤＤ構成情報および前記セカンダリ・サービング・セルのアイデンティティを、前記プライマリ基地局および前記セカンダリ基地局と同時に接続を維持する端末に送信するステップと、
を含む、方法。
【請求項６】
前記セカンダリ基地局により、前記セカンダリ・サービング・セルの前記ＴＤＤ構成情報および前記セカンダリ・サービング・セルのアイデンティティをプライマリ基地局に送信するステップは、
前記セカンダリ基地局により、第１のメッセージを前記プライマリ基地局に送信するステップであって、前記第１のメッセージは第１の時点、前記セカンダリ・サービング・セルの前記ＴＤＤ構成情報、および前記セカンダリ・サービング・セルのアイデンティティを含み、前記第１の時点は前記プライマリ基地局が第２のメッセージを前記端末に送信する時点を示すために使用され、前記第２のメッセージは前記セカンダリ・サービング・セルの前記ＴＤＤ構成情報および前記セカンダリ・サービング・セルのアイデンティティを含むステップ
を含む、請求項５に記載の方法。
【請求項７】
前記セカンダリ基地局により、前記セカンダリ・サービング・セルの前記ＴＤＤ構成情報および前記セカンダリ・サービング・セルのアイデンティティをプライマリ基地局に送信するステップは、
前記セカンダリ基地局により、第１のメッセージを前記プライマリ基地局に送信するステップであって、前記第１のメッセージは第２の時点、前記セカンダリ・サービング・セルの前記ＴＤＤ構成情報、および前記セカンダリ・サービング・セルのアイデンティティを含み、前記第２の時点は前記セカンダリ・サービング・セルの前記ＴＤＤ構成情報が前記セカンダリ基地局と前記端末で有効になった時点であるステップ
を含む、請求項５に記載の方法。
【請求項８】
プライマリ基地局であって、
セカンダリ基地局が送信したセカンダリ・サービング・セルの時分割多重ＴＤＤ構成情報と前記セカンダリ・サービング・セルのアイデンティティを受信するように構成された受信ユニットであって、前記セカンダリ・サービング・セルの前記ＴＤＤ構成情報は前記セカンダリ・サービング・セルに対して前記セカンダリ基地局により決定される受信ユニットと、
前記受信ユニットにより受信された前記セカンダリ・サービング・セルの前記ＴＤＤ構成情報と前記セカンダリ・サービング・セルのアイデンティティを、前記プライマリ基地局および前記セカンダリ基地局と同時に接続を維持する端末に送信するように構成された送信ユニットと、
を備える、プライマリ基地局。
【請求項９】
前記受信ユニットは、前記セカンダリ基地局が送信した第１のメッセージを受信するように構成され、前記第１のメッセージは第１の時点、前記セカンダリ・サービング・セルの前記ＴＤＤ構成情報、および前記セカンダリ・サービング・セルのアイデンティティを含み、前記第１の時点は前記プライマリ基地局が第２のメッセージを前記端末に送信する時点であり、
前記送信ユニットは、前記第１の時点で、前記第２のメッセージを前記端末に送信するように構成され、前記第２のメッセージは前記セカンダリ・サービング・セルの前記ＴＤＤ構成情報および前記セカンダリ・サービング・セルのアイデンティティを含む、
請求項８に記載のプライマリ基地局。
【請求項１０】
前記受信ユニットは、前記セカンダリ基地局が送信した第１のメッセージを受信するように構成され、前記第１のメッセージは第２の時点、前記セカンダリ・サービング・セルの前記ＴＤＤ構成情報、および前記セカンダリ・サービング・セルのアイデンティティを含み、前記第２の時点は前記セカンダリ・サービング・セルの前記ＴＤＤ構成情報が前記セカンダリ基地局と前記端末で有効になった時点であり、
前記送信ユニットは特に、前記第２の時点に到達する前に、前記第１のメッセージを前記端末に送信するように構成された、
請求項８に記載のプライマリ基地局。
【請求項１１】
第３の時点を決定するように構成された決定ユニットをさらに備え、
前記第３の時点は、予め記憶された第１の期間を、前記受信ユニットが前記セカンダリ・サービング・セルの前記ＴＤＤ構成情報と前記セカンダリ・サービング・セルのアイデンティティを受信した時点に追加することで得られ、前記第３の時点は前記セカンダリ・サービング・セルの前記ＴＤＤ構成情報が前記端末で有効になった時点であり、前記第１の期間は、前記セカンダリ基地局が前記セカンダリ・サービング・セルの前記ＴＤＤ構成情報と前記セカンダリ・サービング・セルのアイデンティティを送信した時点および前記セカンダリ・サービング・セルの前記ＴＤＤ構成情報が前記セカンダリ基地局で有効になるデフォルトの時点の間の時間間隔であり、
前記送信ユニットは、第２のメッセージを前記端末に送信するように構成され、前記第２のメッセージは前記第３の時点、前記セカンダリ・サービング・セルの前記ＴＤＤ構成情報、および前記セカンダリ・サービング・セルのアイデンティティを含む、
請求項８に記載のプライマリ基地局。
【請求項１２】
セカンダリ基地局であって、
前記セカンダリ基地局のセカンダリ・サービング・セルに対する時分割多重（ＴＤＤ）構成情報を決定するように構成された割当てユニットと、
前記セカンダリ・サービング・セルの前記ＴＤＤ構成情報と前記セカンダリ・サービング・セルのアイデンティティをプライマリ基地局に送信して、前記プライマリ基地局が前記セカンダリ・サービング・セルの前記ＴＤＤ構成情報および前記セカンダリ・サービング・セルのアイデンティティを、前記プライマリ基地局および前記セカンダリ基地局と同時に接続を維持する端末に送信する端末に送信するようにするように構成された送信ユニットと、
を備える、セカンダリ基地局。
【請求項１３】
前記送信ユニットは、第１のメッセージを前記プライマリ基地局に送信するように構成され、前記第１のメッセージは第１の時点、前記セカンダリ・サービング・セルの前記ＴＤＤ構成情報、および前記セカンダリ・サービング・セルのアイデンティティを含み、前記第１の時点は前記プライマリ基地局が第２のメッセージを前記端末に送信する時点であり、前記第２のメッセージは前記セカンダリ・サービング・セルの前記ＴＤＤ構成情報および前記セカンダリ・サービング・セルのアイデンティティを含む、請求項１２に記載のセカンダリ基地局。
【請求項１４】
前記送信ユニットは、第１のメッセージを前記プライマリ基地局に送信するように構成され、前記第１のメッセージは第２の時点、前記セカンダリ・サービング・セルの前記ＴＤＤ構成情報、および前記セカンダリ・サービング・セルのアイデンティティを含み、前記第２の時点は前記セカンダリ・サービング・セルの前記ＴＤＤ構成情報が前記セカンダリ基地局と前記端末で有効になった時点である、請求項１２に記載のセカンダリ基地局。
【請求項１５】
時分割多重構成を実装するための方法であって、
プライマリ基地局およびセカンダリ基地局と同時に接続を維持する端末により、セカンダリ・セルの時分割多重（ＴＤＤ）構成情報および前記セカンダリ・セルのアイデンティティを前記プライマリ基地局から受信するステップであって、前記セカンダリ・セルの前記ＴＤＤ構成情報は前記セカンダリ・セルに対する前記セカンダリ基地局により決定され、前記セカンダリ・セルの前記ＴＤＤ構成情報および前記セカンダリ・セルの前記アイデンティティは前記セカンダリ基地局により前記プライマリ基地局に送信されるステップと、
前記端末により、前記セカンダリ・セルのアップリンク・ダウンリンク・サブフレーム割当てを前記セカンダリ・セルの前記ＴＤＤ構成情報に従って決定するステップと、
を含む、方法。
【請求項１６】
前記端末により、前記セカンダリ・セルの前記アップリンク・ダウンリンク・サブフレーム割当ての決定の成功を示すために使用される応答メッセージを送信するステップをさらに含む、請求項１５に記載の方法。
【請求項１７】
プライマリ基地局およびセカンダリ基地局と同時に接続を維持する端末であって、
セカンダリ・セルの時分割多重（ＴＤＤ）構成情報および前記セカンダリ・セルのアイデンティティをプライマリ基地局から受信するように構成された受信ユニットであって、前記セカンダリ・セルの前記ＴＤＤ構成情報は、前記セカンダリ・セルに対するセカンダリ基地局により決定され、前記セカンダリ・セルの前記ＴＤＤ構成情報および前記セカンダリ・セルの前記アイデンティティは前記セカンダリ基地局により前記プライマリ基地局に送信される、受信ユニットと、
前記セカンダリ・セルのアップリンク・ダウンリンク・サブフレーム割当てを、前記受信ユニットにより受信された前記セカンダリ・セルの前記ＴＤＤ構成情報に従って決定するように構成された決定ユニットと、
を備える、端末。
【請求項１８】
前記決定ユニットが前記セカンダリ・セルの前記アップリンク・ダウンリンク・サブフレーム割当てを決定した後に、前記セカンダリ・セルのアップリンク・ダウンリンク・サブフレーム割当ての決定の成功を示すために使用される応答メッセージを送信するように構成された送信ユニットをさらに備える、請求項１７に記載の端末。
【請求項１９】
請求項１乃至４の何れか１項に記載の方法をプロセッサに実施させるプログラム。
【請求項２０】
請求項５乃至７のいずれか１項に記載の方法をプロセッサに実施させるプログラム。
【請求項２１】
請求項１５または１６に記載の方法をプロセッサに実施させるプログラム。
【請求項２２】
セカンダリ・セルの時分割多重構成を実装するためのシステムであって、請求項８乃至１１のいずれか１項に記載のプライマリ基地局と、請求項１２乃至１４のいずれか１項に記載のセカンダリ基地局を含む、システム。
【発明の詳細な説明】
【技術分野】
【０００１】
本発明は通信の分野に関し、特に、セカンダリ・サービング・セルの時分割多重構成を実装するための方法およびシステム、ならびに基地局に関する。
【背景技術】
【０００２】
現在、無線通信ネットワークのネットワーク配置において、１つの基地局が２つの異なるセルを有し、端末が基地局の２つの異なるセルに対する接続を同時に維持することができる。同一の端末への接続を維持する２つのセルのうち、一方はプライマリ・サービング・セルであり、もう一方はセカンダリ・サービング・セルである。プライマリ・サービング・セルと端末の間の通信プロセスにおいて、ＦＤＤ（Ｆｒｅｑｕｅｎｃｙ  Ｄｉｖｉｓｉｏｎ  Ｄｕｐｌｅｘ、周波数分割多重）方式を使用することができ、ＴＤＤ（Ｔｉｍｅ  Ｄｉｖｉｓｉｏｎ  Ｄｕｐｌｅｘ、時分割多重）方式も使用することができる。セカンダリ・サービング・セルと端末の間の通信プロセスでは、ＴＤＤ方式が使用される。
【０００３】
先行技術では、基地局がＴＤＤ構成をセカンダリ・サービング・セルに対して実施するとき、基地局がセカンダリ・サービング・セルに対するＴＤＤ構成情報を決定し、プライマリ・サービング・セルを使用することによって、セカンダリ・サービング・セルのＴＤＤ構成メッセージを端末に送信し、セカンダリ・サービング・セルのＴＤＤ構成情報を受信した後、端末がセカンダリ・サービング・セルのアップリンク・ダウンリンク・サブフレーム割当てを決定する。即ち、端末が、信号を基地局に送信するときに使用されるサブフレームの数を決定し、基地局が送信した信号を受信するときに使用されるサブフレームの数を決定して、端末およびセカンダリ・サービング・セルがセカンダリ・サービング・セルのアップリンク・ダウンリンク・サブフレーム割当てに従って互いと通信するようにする。
【発明の概要】
【発明が解決しようとする課題】
【０００４】
しかし、新たなネットワーク配置では、端末のプライマリ・サービング・セルとセカンダリ・サービング・セルが異なる基地局に属する可能性がある。この場合、プライマリ・サービング・セルが属する基地局はプライマリ基地局であり、セカンダリ・サービング・セルが属する基地局はセカンダリ基地局である。端末のプライマリ・サービング・セルとセカンダリ・サービング・セルが異なる基地局に属するとき、先行技術の方法を用いてはセカンダリ・サービング・セルのＴＤＤ構成を実現することができない。
【課題を解決するための手段】
【０００５】
本発明では、セカンダリ・サービング・セルの時分割多重構成を実装するための方法およびシステム、ならびに基地局を提供する。これらは、端末のプライマリ・サービング・セルとセカンダリ・サービング・セルが異なる基地局に属するとき、セカンダリ・サービング・セルのＴＤＤ構成を実現することができる。
【０００６】
上述の目的を達成するために本発明の諸実施形態では以下の技術的解決策を使用する。
【０００７】
第１の態様では、プライマリ基地局により、セカンダリ基地局が送信したセカンダリ・サービング・セルの時分割多重ＴＤＤ構成情報とセカンダリ・サービング・セルのアイデンティティを受信するステップであって、セカンダリ・サービング・セルのＴＤＤ構成情報はセカンダリ基地局によりセカンダリ・サービング・セルに割り当てられるステップと、プライマリ基地局により、セカンダリ・サービング・セルのＴＤＤ構成情報とセカンダリ・サービング・セルのアイデンティティを端末に送信して、端末が当該ＴＤＤ構成情報に従ってセカンダリ・サービング・セルのアップリンク・ダウンリンク・サブフレーム割当てを決定するようにするステップとを含む、セカンダリ・サービング・セルの時分割多重構成を実装するための方法を提供する。
【０００８】
可能な実装方式では、プライマリ基地局により、セカンダリ基地局が送信したセカンダリ・サービング・セルの時分割多重ＴＤＤ構成情報とセカンダリ・サービング・セルのアイデンティティを受信するステップは、プライマリ基地局により、セカンダリ基地局が送信した第１のメッセージを受信するステップであって、当該第１のメッセージは第１の時点、セカンダリ基地局のセカンダリ・サービング・セルのＴＤＤ構成情報、およびセカンダリ・サービング・セルのアイデンティティを含み、当該第１の時点はプライマリ基地局が第２のメッセージを端末に送信する時点を示すために使用されるステップを含み、プライマリ基地局により、セカンダリ・サービング・セルのＴＤＤ構成情報とセカンダリ・サービング・セルのアイデンティティを端末に送信するステップは、当該第１の時点に到達したときに、プライマリ基地局により、第２のメッセージを端末に送信するステップであって、当該第２のメッセージは、セカンダリ・サービング・セルのＴＤＤ構成情報とセカンダリ・サービング・セルのアイデンティティを含むステップを含む。
【０００９】
可能な実装方式では、プライマリ基地局により、セカンダリ基地局が送信したセカンダリ・サービング・セルの時分割多重ＴＤＤ構成情報とセカンダリ・サービング・セルのアイデンティティを受信するステップは、プライマリ基地局により、セカンダリ基地局が送信した第１のメッセージを受信するステップであって、当該第１のメッセージは、第２の時点、セカンダリ基地局のセカンダリ・サービング・セルのＴＤＤ構成情報、およびセカンダリ・サービング・セルのアイデンティティを含み、当該第２の時点はセカンダリ・サービング・セルのＴＤＤ構成情報がセカンダリ基地局と端末で別々に有効になった時点であるステップを含み、プライマリ基地局により、セカンダリ・サービング・セルのＴＤＤ構成情報とセカンダリ・サービング・セルのアイデンティティを端末に送信するステップは、当該第２の時点に到達する前に、プライマリ基地局により、当該第１のメッセージを端末に送信するステップを含む。
【００１０】
可能な実装方式では、プライマリ基地局により、セカンダリ・サービング・セルのＴＤＤ構成情報とセカンダリ・サービング・セルのアイデンティティを端末に送信する前に、当該方法はさらに、プライマリ基地局により、セカンダリ・サービング・セルのＴＤＤ構成情報とセカンダリ・サービング・セルのアイデンティティを受信した後、第３の時点を決定するステップであって、当該第３の時点は、予め記憶された第１の期間をプライマリ基地局がセカンダリ・サービング・セルのＴＤＤ構成情報とセカンダリ・サービング・セルのアイデンティティを受信した時点に追加することによって得られた時点であり、当該第３の時点はセカンダリ・サービング・セルのＴＤＤ構成情報が端末で有効になった時点であり、当該第１の期間は、セカンダリ基地局がセカンダリ・サービング・セルのＴＤＤ構成情報とセカンダリ・サービング・セルのアイデンティティを送信した時点とセカンダリ・サービング・セルのＴＤＤ構成情報がセカンダリ基地局で有効になるデフォルトの時点の間の時間間隔であるステップを含み、プライマリ基地局により、セカンダリ・サービング・セルのＴＤＤ構成情報とセカンダリ・サービング・セルのアイデンティティを端末に送信するステップは、当該第３の時点に到達する前にプライマリ基地局により、第２のメッセージを端末に送信するステップであって、当該第２のメッセージは、当該第３の時点、セカンダリ・サービング・セルのＴＤＤ構成情報、およびセカンダリ・サービング・セルのアイデンティティを含むステップを含む。
【００１１】
本発明ではさらに、セカンダリ基地局により、セカンダリ基地局のセカンダリ・サービング・セルに対する時分割多重ＴＤＤ構成情報を決定するステップと、セカンダリ基地局により、セカンダリ・サービング・セルのＴＤＤ構成情報とセカンダリ・サービング・セルのアイデンティティをプライマリ基地局に送信して、プライマリ基地局がセカンダリ・サービング・セルのＴＤＤ構成情報とセカンダリ・サービング・セルのアイデンティティを端末に送信し、したがって端末がセカンダリ・サービング・セルのＴＤＤ構成情報に従ってセカンダリ・サービング・セルのアップリンク・ダウンリンク・サブフレーム割当てを決定するようにするステップとを含む、セカンダリ・サービング・セルの時分割多重構成を実装するための方法を提供する。
【００１２】
可能な実装方式では、セカンダリ基地局により、セカンダリ・サービング・セルのＴＤＤ構成情報とセカンダリ・サービング・セルのアイデンティティをプライマリ基地局に送信して、プライマリ基地局がセカンダリ・サービング・セルのＴＤＤ構成情報とセカンダリ・サービング・セルのアイデンティティを端末に送信するようにするステップは、セカンダリ基地局により、第１のメッセージをプライマリ基地局に送信して、当該第１の時点に到達したときに、プライマリ基地局が第２のメッセージを端末に送信するようにするステップであって、当該第１のメッセージは、第１の時点、セカンダリ・サービング・セルのＴＤＤ構成情報、およびセカンダリ・サービング・セルのアイデンティティを含み、当該第１の時点はプライマリ基地局が第２のメッセージを端末に送信する時点を示すために使用され、当該第２のメッセージは、セカンダリ・サービング・セルのＴＤＤ構成情報とセカンダリ・サービング・セルのアイデンティティを含むステップを含む。
【００１３】
可能な実装方式では、セカンダリ基地局により、セカンダリ・サービング・セルのＴＤＤ構成情報とセカンダリ・サービング・セルのアイデンティティをプライマリ基地局に送信して、プライマリ基地局がセカンダリ・サービング・セルのＴＤＤ構成情報とセカンダリ・サービング・セルのアイデンティティを端末に送信するようにするステップは、セカンダリ基地局により、第１のメッセージをプライマリ基地局に送信して、プライマリ基地局が当該第１のメッセージを端末に送信するようにするステップであって、当該第１のメッセージは、第２の時点、セカンダリ・サービング・セルのＴＤＤ構成情報、およびセカンダリ・サービング・セルのアイデンティティを含み、当該第２の時点はセカンダリ・サービング・セルのＴＤＤ構成情報がセカンダリ基地局と端末で別々に有効になった時点であるステップとを含む。
【００１４】
本発明ではさらに、プライマリ基地局により、セカンダリ基地局のセカンダリ・サービング・セルに対する時分割多重ＴＤＤ構成情報を決定するステップと、プライマリ基地局により、セカンダリ・サービング・セルのＴＤＤ構成情報とセカンダリ・サービング・セルのアイデンティティをセカンダリ基地局に送信し、セカンダリ・サービング・セルのＴＤＤ構成情報とセカンダリ・サービング・セルのアイデンティティを端末に送信して、セカンダリ基地局と端末がセカンダリ・サービング・セルのＴＤＤ構成情報に従ってセカンダリ・サービング・セルのアップリンク・ダウンリンク・サブフレーム割当てを決定するようにするステップとを含む、セカンダリ・サービング・セルの時分割多重構成を実装するための方法を提供する。
【００１５】
可能な実装方式では、プライマリ基地局により、セカンダリ・サービング・セルのＴＤＤ構成情報とセカンダリ・サービング・セルのアイデンティティをセカンダリ基地局に送信するステップは、プライマリ基地局により、第１のメッセージをセカンダリ基地局に送信するステップであって、当該第１のメッセージは、第１の時点、セカンダリ・サービング・セルのＴＤＤ構成情報、およびセカンダリ・サービング・セルのアイデンティティを含み、当該第１の時点はセカンダリ・サービング・セルのＴＤＤ構成情報がセカンダリ基地局で有効になった時点であるステップを含み、プライマリ基地局により、セカンダリ・サービング・セルのＴＤＤ構成情報とセカンダリ・サービング・セルのアイデンティティを端末に送信する前に、当該方法はさらに、プライマリ基地局により、第１の送信時点を決定するステップであって、当該第１の送信時点は予め記憶された第１の期間を当該第１の時点から差し引くことで得られる時点であり、当該第１の期間は端末が第２のメッセージを受信した時点とセカンダリ・サービング・セルのＴＤＤ構成情報が端末で有効になるデフォルトの時点の間の時間間隔であるステップを含み、プライマリ基地局により、セカンダリ・サービング・セルのＴＤＤ構成情報とセカンダリ・サービング・セルのアイデンティティを端末に送信するステップは、当該第１の送信時点に到達したときに、プライマリ基地局により、第２のメッセージを端末に送信するステップであって、当該第２のメッセージは、セカンダリ・サービング・セルのＴＤＤ構成情報とセカンダリ・サービング・セルのアイデンティティを含むステップを含む。
【００１６】
可能な実装方式では、プライマリ基地局により、セカンダリ・サービング・セルのＴＤＤ構成情報とセカンダリ・サービング・セルのアイデンティティをセカンダリ基地局に送信するステップは、プライマリ基地局により、第１のメッセージをセカンダリ基地局に送信するステップであって、当該第１のメッセージは、第２の時点、セカンダリ・サービング・セルのＴＤＤ構成情報、およびセカンダリ・サービング・セルのアイデンティティを含み、当該第２の時点はセカンダリ・サービング・セルのＴＤＤ構成情報がセカンダリ基地局と端末で別々に有効になった時点であるステップを含み、プライマリ基地局により、セカンダリ・サービング・セルのＴＤＤ構成情報とセカンダリ・サービング・セルのアイデンティティを端末に送信するステップは、プライマリ基地局により、当該第１のメッセージを端末に送信するステップを含む。
【００１７】
可能な実装方式では、プライマリ基地局により、セカンダリ・サービング・セルのＴＤＤ構成情報とセカンダリ・サービング・セルのアイデンティティを端末に送信するステップは、プライマリ基地局により、第１のメッセージを端末に送信するステップであって、当該第１のメッセージは、第３の時点、セカンダリ・サービング・セルのＴＤＤ構成情報、およびセカンダリ・サービング・セルのアイデンティティを含み、当該第３の時点はセカンダリ・サービング・セルのＴＤＤ構成情報がセカンダリ基地局と端末で別々に有効になった時点であるステップを含み、プライマリ基地局により、セカンダリ・サービング・セルのＴＤＤ構成情報とセカンダリ・サービング・セルのアイデンティティをセカンダリ基地局に送信する前に、当該方法はさらに、プライマリ基地局により、第２の送信時点を決定するステップであって、当該第２の送信時点は予め記憶された第２の期間を当該第３の時点から差し引くことで得られた時点であり、当該第２の期間は、セカンダリ基地局が第２のメッセージを受信した時点とセカンダリ・サービング・セルのＴＤＤ構成情報がセカンダリ基地局で有効になるデフォルトの時点の間の時間間隔であるステップを含み、プライマリ基地局により、セカンダリ・サービング・セルのＴＤＤ構成情報とセカンダリ・サービング・セルのアイデンティティをセカンダリ基地局に送信するステップは、当該第２の送信時点に到達したとき、プライマリ基地局により、当該第２のメッセージをセカンダリ基地局に送信するステップであって、当該第２のメッセージは、セカンダリ・サービング・セルのＴＤＤ構成情報とセカンダリ・サービング・セルのアイデンティティを含むステップを含む。
【００１８】
可能な実装方式では、プライマリ基地局により、セカンダリ基地局のセカンダリ・サービング・セルに対する時分割多重ＴＤＤ構成情報を決定する前に、当該方法はさらに、プライマリ基地局により、セカンダリ基地局により送信された要求メッセージを受信するステップであって、当該要求メッセージは、セカンダリ・サービング・セルのダウンリンク・バッファ内のデータ量と端末のアップリンク・バッファ内のデータ量を含むステップを含み、プライマリ基地局により、セカンダリ基地局のセカンダリ・サービング・セルに対する時分割多重ＴＤＤ構成情報を決定するステップは、プライマリ基地局により、セカンダリ基地局のセカンダリ・サービング・セルに対するＴＤＤ構成情報をセカンダリ・サービング・セルのダウンリンク・バッファ内のデータ量と端末のアップリンク・バッファ内のデータ量に従って決定するステップを含む。
【００１９】
本発明では、セカンダリ基地局により、プライマリ基地局が送信したセカンダリ基地局のセカンダリ・サービング・セルの時分割多重ＴＤＤ構成情報とセカンダリ・サービング・セルのアイデンティティを受信して、セカンダリ基地局がセカンダリ・サービング・セルのＴＤＤ構成情報に従ってセカンダリ・サービング・セルのアップリンク・ダウンリンク・サブフレーム割当てを決定するようにするステップを含む、セカンダリ・サービング・セルの時分割多重構成を実装するための別の方法を提供する。
【００２０】
可能な実装方式では、セカンダリ基地局により、プライマリ基地局が送信したセカンダリ基地局のセカンダリ・サービング・セルの時分割多重ＴＤＤ構成情報とセカンダリ・サービング・セルのアイデンティティを受信するステップは、セカンダリ基地局により、プライマリ基地局により送信された第１のメッセージを受信するステップを含む。当該第１のメッセージは第１の時点、セカンダリ基地局のセカンダリ・サービング・セルのＴＤＤ構成情報、およびセカンダリ・サービング・セルのアイデンティティを含み、当該第１の時点はセカンダリ・サービング・セルのＴＤＤ構成情報がセカンダリ基地局で有効になった時点である。
【００２１】
可能な実装方式では、セカンダリ基地局により、プライマリ基地局が送信したセカンダリ基地局のセカンダリ・サービング・セルのＴＤＤ構成情報とセカンダリ・サービング・セルのアイデンティティを受信する前に、当該方法はさらに、セカンダリ基地局により、端末が送信した端末のバッファ・ステータス・レポート情報を受信するステップと、セカンダリ基地局により、端末のアップリンク・バッファ内のデータ量を当該バッファ・ステータス・レポート情報に従って決定するステップと、セカンダリ基地局により、要求メッセージをプライマリ基地局に送信するステップであって、当該要求メッセージは、セカンダリ・サービング・セルのダウンリンク・バッファ内のデータ量と端末のアップリンク・バッファ内のデータ量を含むステップを含む。
【００２２】
第２の態様によれば、セカンダリ基地局が送信したセカンダリ・サービング・セルの時分割多重ＴＤＤ構成情報とセカンダリ・サービング・セルのアイデンティティを受信し、セカンダリ・サービング・セルのＴＤＤ構成情報とセカンダリ・サービング・セルのアイデンティティを送信ユニットに送信するように構成された受信ユニットであって、セカンダリ・サービング・セルのＴＤＤ構成情報はセカンダリ基地局によりセカンダリ・サービング・セルに割り当てられる受信ユニットと、当該受信ユニットにより送信されたセカンダリ・サービング・セルのＴＤＤ構成情報とセカンダリ・サービング・セルのアイデンティティを受信し、セカンダリ・サービング・セルのＴＤＤ構成情報とセカンダリ・サービング・セルのアイデンティティを端末に送信して、端末が当該ＴＤＤ構成情報に従ってセカンダリ・サービング・セルのアップリンク・ダウンリンク・サブフレーム割当てを決定するようにするように構成された当該送信ユニットとを備えるプライマリ基地局を提供する。
【００２３】
可能な実装方式では、当該受信ユニットは特に、セカンダリ基地局が送信した第１のメッセージを受信し、当該第１のメッセージを当該送信ユニットに送信するように構成される。当該第１のメッセージは第１の時点、セカンダリ基地局のセカンダリ・サービング・セルのＴＤＤ構成情報、およびセカンダリ・サービング・セルのアイデンティティを含み、当該第１の時点はプライマリ基地局が第２のメッセージを端末に送信する時点を示すために使用される。当該送信ユニットは特に、当該受信ユニットにより送信された当該第１のメッセージを受信し、当該第１の時点に到達したときに、当該第２のメッセージを端末に送信するように構成される。当該第２のメッセージは、セカンダリ・サービング・セルのＴＤＤ構成情報とセカンダリ・サービング・セルのアイデンティティを含む。
【００２４】
可能な実装方式では、当該受信ユニットは特に、セカンダリ基地局が送信した第１のメッセージを受信し、当該第１のメッセージを当該送信ユニットに送信するように構成される。当該第１のメッセージは、第２の時点、セカンダリ基地局のセカンダリ・サービング・セルのＴＤＤ構成情報、およびセカンダリ・サービング・セルのアイデンティティを含み、当該第２の時点はセカンダリ・サービング・セルのＴＤＤ構成情報がセカンダリ基地局と端末で別々に有効になった時点である。当該送信ユニットは特に、当該受信ユニットにより送信された当該第１のメッセージを受信し、当該第２の時点に到達する前に、当該第１のメッセージを端末に送信するように構成される。
【００２５】
可能な実装方式では、プライマリ基地局はさらに、当該受信ユニットがセカンダリ・サービング・セルのＴＤＤ構成情報とセカンダリ・サービング・セルのアイデンティティを受信した後に、第３の時点を決定し、当該第３の時点を当該送信ユニットに送信するように構成された決定ユニットを備える。当該第３の時点は、予め記憶された第１の期間を当該受信ユニットがセカンダリ・サービング・セルのＴＤＤ構成情報とセカンダリ・サービング・セルのアイデンティティを受信した時点に追加することで得られた時点であり、当該第３の時点はセカンダリ・サービング・セルのＴＤＤ構成情報が端末で有効になった時点であり、当該第１の期間は、セカンダリ基地局がセカンダリ・サービング・セルのＴＤＤ構成情報とセカンダリ・サービング・セルのアイデンティティを送信した時点とセカンダリ・サービング・セルのＴＤＤ構成情報がセカンダリ基地局で有効になるデフォルトの時点の間の時間間隔である。当該送信ユニットは特に、当該決定ユニットにより送信された第３の時点を受信し、当該第３の時点に到達する前に、第２のメッセージを端末に送信するように構成される。当該第２のメッセージは、当該第３の時点、セカンダリ・サービング・セルのＴＤＤ構成情報、およびセカンダリ・サービング・セルのアイデンティティを含む。
【００２６】
本発明ではさらに、セカンダリ基地局のセカンダリ・サービング・セルに対する時分割多重ＴＤＤ構成情報を決定し、セカンダリ・サービング・セルのＴＤＤ構成情報を送信ユニットに送信するように構成された割当てユニットと、当該割当てユニットにより送信されたセカンダリ・サービング・セルのＴＤＤ構成情報を受信し、セカンダリ・サービング・セルのＴＤＤ構成情報とセカンダリ・サービング・セルのアイデンティティをプライマリ基地局に送信して、プライマリ基地局がセカンダリ・サービング・セルのＴＤＤ構成情報とセカンダリ・サービング・セルのアイデンティティを端末に送信し、したがって端末がセカンダリ・サービング・セルのＴＤＤ構成情報に従ってセカンダリ・サービング・セルのアップリンク・ダウンリンク・サブフレーム割当てを決定するようにするように構成された当該送信ユニットとを備える、セカンダリ基地局を提供する。
【００２７】
可能な実装方式では、当該送信ユニットは特に、当該割当てユニットにより送信されたセカンダリ・サービング・セルのＴＤＤ構成情報を受信し、第１のメッセージをプライマリ基地局に送信して、該第１の時点に到達したときに、プライマリ基地局が当該第２のメッセージを端末に送信するようにするように構成される。当該第１のメッセージは、第１の時点、セカンダリ・サービング・セルのＴＤＤ構成情報、およびセカンダリ・サービング・セルのアイデンティティを含み、当該第１の時点はプライマリ基地局が第２のメッセージを端末に送信する時点を示すために使用され、当該第２のメッセージは、セカンダリ・サービング・セルのＴＤＤ構成情報とセカンダリ・サービング・セルのアイデンティティを含む。
【００２８】
可能な実装方式では、当該送信ユニットは特に、当該割当てユニットにより送信されたセカンダリ・サービング・セルのＴＤＤ構成情報を受信し、第１のメッセージをプライマリ基地局に送信して、プライマリ基地局が当該第１のメッセージを端末に送信するようにするように構成される。当該第１のメッセージは、第２の時点、セカンダリ・サービング・セルのＴＤＤ構成情報、およびセカンダリ・サービング・セルのアイデンティティを含み、当該第２の時点はセカンダリ・サービング・セルのＴＤＤ構成情報がセカンダリ基地局と端末で別々に有効になった時点である。
【００２９】
本発明ではさらに、セカンダリ基地局のセカンダリ・サービング・セルに対する時分割多重ＴＤＤ構成情報を決定し、セカンダリ・サービング・セルのＴＤＤ構成情報を送信ユニットに送信するように構成された割当てユニットと、当該割当てユニットにより送信されたセカンダリ・サービング・セルのＴＤＤ構成情報を受信し、セカンダリ・サービング・セルのＴＤＤ構成情報およびセカンダリ・サービング・セルのアイデンティティをセカンダリ基地局に送信し、セカンダリ・サービング・セルのＴＤＤ構成情報とセカンダリ・サービング・セルのアイデンティティを端末に送信して、セカンダリ基地局と端末がセカンダリ・サービング・セルのＴＤＤ構成情報に従ってセカンダリ・サービング・セルのアップリンク・ダウンリンク・サブフレーム割当てを決定するようにするように構成された当該送信ユニットとを備える、別のプライマリ基地局を提供する。
【００３０】
可能な実装方式では、当該送信ユニットは特に、第１のメッセージをセカンダリ基地局に送信するように構成され、当該第１のメッセージは、第１の時点、セカンダリ・サービング・セルのＴＤＤ構成情報、およびセカンダリ・サービング・セルのアイデンティティを含み、当該第１の時点はセカンダリ・サービング・セルのＴＤＤ構成情報がセカンダリ基地局で有効になった時点である。プライマリ基地局はさらに、第１の送信時点を決定し、当該第１の時点を当該送信ユニットに送信するように構成された第１の決定ユニットを備える。当該第１の送信時点は予め記憶された第１の期間を当該第１の時点から差し引くことで得られる時点であり、当該第１の期間は端末が第２のメッセージを受信した時点とセカンダリ・サービング・セルのＴＤＤ構成情報が端末で有効になるデフォルトの時点の間の時間間隔である。当該送信ユニットはさらに、特に、当該第１の決定ユニットにより送信された当該第１の時点を受信し、当該第１の送信時点に到達したとき、当該第２のメッセージを端末に送信するように構成される。当該第２のメッセージは、セカンダリ・サービング・セルのＴＤＤ構成情報とセカンダリ・サービング・セルのアイデンティティを含む。
【００３１】
可能な実装方式では、当該送信ユニットは特に第１のメッセージをセカンダリ基地局に送信し、当該第１のメッセージを端末に送信するように構成される。当該第１のメッセージは、第２の時点、セカンダリ・サービング・セルのＴＤＤ構成情報、およびセカンダリ・サービング・セルのアイデンティティを含み、当該第２の時点はセカンダリ・サービング・セルのＴＤＤ構成情報がセカンダリ基地局と端末で別々に有効になった時点である。
【００３２】
可能な実装方式では、当該送信ユニットは特に、第１のメッセージを端末に送信するように構成される。当該第１のメッセージは、第３の時点、セカンダリ・サービング・セルのＴＤＤ構成情報、およびセカンダリ・サービング・セルのアイデンティティを含み、当該第３の時点はセカンダリ・サービング・セルのＴＤＤ構成情報がセカンダリ基地局と端末で別々に有効になった時点である。プライマリ基地局はさらに、第２の送信時点を決定し、当該第２の送信時点を当該送信ユニットに送信ように構成された第２の決定ユニットを備える。当該第２の送信時点は予め記憶された第２の期間を当該第３の時点から差し引くことで得られた時点であり、当該第２の期間は、セカンダリ基地局が第２のメッセージを受信した時点とセカンダリ・サービング・セルのＴＤＤ構成情報がセカンダリ基地局で有効になるデフォルトの時点の間の時間間隔である。当該送信ユニットはさらに、特に、当該第２の決定ユニットにより送信された当該第２の送信時点を受信し、当該第２の送信時点に到達したとき、当該第２のメッセージをセカンダリ基地局に送信するように構成される。当該第２のメッセージは、セカンダリ・サービング・セルのＴＤＤ構成情報とセカンダリ・サービング・セルのアイデンティティを含む。
【００３３】
可能な実装方式では、プライマリ基地局はさらに、セカンダリ基地局により送信された要求メッセージを受信し、当該要求メッセージを当該割当てユニットに送信するように構成された受信ユニットを備える。当該要求メッセージは、セカンダリ・サービング・セルのダウンリンク・バッファ内のデータ量と端末のアップリンク・バッファ内のデータ量を含む。当該割当てユニットは特に、当該受信ユニットにより送信された要求メッセージを受信し、セカンダリ・サービング・セルのダウンリンク・バッファ内のデータ量と端末のアップリンク・バッファ内のデータ量に従って、セカンダリ基地局のセカンダリ・サービング・セルに対するＴＤＤ構成情報を決定するように構成される。
【００３４】
本発明ではさらに、プライマリ基地局が送信したセカンダリ基地局のセカンダリ・サービング・セルの時分割多重ＴＤＤ構成情報とセカンダリ・サービング・セルのアイデンティティを受信して、セカンダリ基地局がセカンダリ・サービング・セルのＴＤＤ構成情報に従ってセカンダリ・サービング・セルのアップリンク・ダウンリンク・サブフレーム割当てを決定するようにするように構成された受信ユニットを備える、別のセカンダリ基地局を提供する。
【００３５】
可能な実装方式では、当該受信ユニットは特に、プライマリ基地局により送信された第１のメッセージを受信するように構成される。当該第１のメッセージは第１の時点、セカンダリ基地局のセカンダリ・サービング・セルのＴＤＤ構成情報、およびセカンダリ・サービング・セルのアイデンティティを含む。当該第１の時点はセカンダリ・サービング・セルのＴＤＤ構成情報がセカンダリ基地局で有効になった時点である。
【００３６】
可能な実装方式では、当該受信ユニットはさらに、端末が送信した端末のバッファ・ステータス・レポート情報を受信し、当該バッファ・ステータス・レポート情報を決定ユニットに送信するように構成される。セカンダリ基地局はさらに、当該受信ユニットにより送信されたバッファ・ステータス・レポート情報を受信し、端末のアップリンク・バッファ内のデータ量を当該バッファ・ステータス・レポート情報に従って決定し、端末のアップリンク・バッファ内のデータ量を送信ユニットに送信するように構成された当該決定ユニットと、端末のアップリンク・バッファにおいて、当該決定ユニットにより送信されたデータ量を受信し、要求メッセージをプライマリ基地局に送信するように構成された当該送信ユニットであって、当該要求メッセージは、セカンダリ・サービング・セルのダウンリンク・バッファ内のデータ量と端末のアップリンク・バッファ内のデータ量を含む当該送信ユニットとを備える。
【００３７】
第３の態様によれば、本発明では、上述の端末、上述のプライマリ基地局、および上述のセカンダリ基地局を備えるセカンダリ・サービング・セルの時分割多重構成を実装するためのシステムを提供する。
【００３８】
本発明で提供するセカンダリ・サービング・セルの時分割多重構成を実装するための方法およびシステム、ならびに基地局によれば、ＴＤＤ構成をセカンダリ・サービング・セルに対して実施するとき、セカンダリ基地局が、ＴＤＤ構成を要求するセカンダリ基地局のセカンダリ・サービング・セルに対するＴＤＤ構成情報を積極的に決定し、セカンダリ・サービング・セルのＴＤＤ構成情報とセカンダリ・サービング・セルのアイデンティティをプライマリ基地局に送信することができる。したがって、端末がセカンダリ・サービング・セルのアップリンク・ダウンリンク・サブフレーム割当てをセカンダリ・サービング・セルのＴＤＤ構成情報に従って決定するように、プライマリ基地局が、セカンダリ基地局により送信されたセカンダリ・サービング・セルのＴＤＤ構成情報とセカンダリ・サービング・セルのアイデンティティを受信し、セカンダリ・サービング・セルのＴＤＤ構成情報とセカンダリ・サービング・セルのアイデンティティを端末に送信することができる。あるいは、セカンダリ基地局および端末がセカンダリ・サービング・セルのアップリンク・ダウンリンク・サブフレーム割当てをセカンダリ・サービング・セルのＴＤＤ構成情報に従って決定できるように、プライマリ基地局は、ＴＤＤ構成を要求するセカンダリ・サービング・セルに対するＴＤＤ構成情報を積極的に決定し、セカンダリ・サービング・セルのＴＤＤ構成情報とセカンダリ・サービング・セルのアイデンティティをセカンダリ基地局と端末に別々に送信する。本発明では、セカンダリ基地局と端末の両方がセカンダリ・サービング・セルのＴＤＤ構成情報を取得し、セカンダリ・サービング・セルのアップリンク・ダウンリンク・サブフレーム割当てをセカンダリ・サービング・セルのＴＤＤ構成情報に従って決定した後、セカンダリ・サービング・セルのＴＤＤ構成が実現される。本発明によれば、端末のプライマリ・サービング・セルとセカンダリ・サービング・セルが異なる基地局に属するとき、セカンダリ・サービング・セルのＴＤＤ構成を実現できることが分かる。
【００３９】
本発明の諸実施形態の技術的解決策をより明確に説明するために、以下では諸実施形態を説明するのに必要な添付図面を簡単に説明する。明らかに、以下の説明における添付図面は本発明の幾つかの諸実施形態を示すにすぎず、当業者は創造的作業なしにこれらの添付図面から他の図面を導出することができる。
【図面の簡単な説明】
【００４０】
【図１】本発明の実施形態１に従うセカンダリ・サービング・セルの時分割多重構成を実装するための方法の流れ図である。
【図２】本発明の実施形態１に従うセカンダリ・サービング・セルの時分割多重構成を実装するための別の方法の流れ図である。
【図３】本発明の実施形態２に従うセカンダリ・サービング・セルの時分割多重構成を実装するための方法の流れ図である。
【図４】本発明の実施形態３に従うセカンダリ・サービング・セルの時分割多重構成を実装するための方法の流れ図である。
【図５】本発明の実施形態４に従うセカンダリ・サービング・セルの時分割多重構成を実装するための方法の流れ図である。
【図６】本発明の実施形態５に従うセカンダリ・サービング・セルの時分割多重構成を実装するための方法の流れ図である。
【図７】本発明の実施形態６に従うセカンダリ・サービング・セルの時分割多重構成を実装するための方法の流れ図である。
【図８】本発明の実施形態７に従うセカンダリ・サービング・セルの時分割多重構成を実装するための方法の流れ図である。
【図９】本発明の実施形態８に従うプライマリ基地局の構造図である。
【図１０】本発明の実施形態８に従う別のプライマリ基地局の構造図である。
【図１１】本発明の実施形態９に従うプライマリ基地局の構造図である。
【図１２】本発明の実施形態９に従う第２のプライマリ基地局の構造図である。
【図１３】本発明の実施形態９に従う第３のプライマリ基地局の構造図である。
【図１４】本発明の実施形態９に従う第４のプライマリ基地局の構造図である。
【図１５】本発明の実施形態１０に従うセカンダリ基地局の構造図である。
【図１６】本発明の実施形態１１に従うセカンダリ基地局の構造図である。
【図１７】本発明の実施形態１１に従う別のセカンダリ基地局の構造図である。
【図１８】本発明の実施形態１１に従うセカンダリ・サービング・セルの時分割多重構成を実装するためのシステムの構造図である。
【図１９】本発明の実施形態１１に従うセカンダリ・サービング・セルの時分割多重構成を実装するための別のシステムの構造図である。
【発明を実施するための形態】
【００４１】
本発明の目的、技術的解決策、および利点をより明確にするために、以下では添付図面を参照して本発明の諸実施形態をさらに詳細に説明する。
【００４２】
以下の本発明の諸実施形態では、セカンダリ・サービング・セルのＴＤＤ構成情報がセカンダリ基地局と端末で同時に有効になるように、プライマリ基地局とセカンダリ基地局の間の遅延およびプライマリ基地局と端末の間の遅延は無視されることに留意されたい。
【００４３】
実施形態１
図１を参照する。図１は、当該実施形態に従うセカンダリ・サービング・セルの時分割多重構成を実装するための方法の流れ図である。当該方法は特に以下を含む。
【００４４】
１０１で、セカンダリ基地局が、セカンダリ基地局のセカンダリ・サービング・セルに対するＴＤＤ構成情報を決定する。
【００４５】
セカンダリ基地局によりセカンダリ基地局のセカンダリ・サービング・セルに対するＴＤＤ構成情報を決定するための方法は、先行技術の基地局によりセカンダリ・サービング・セルに対するＴＤＤ構成情報を決定するための方法と同じであり、詳細を再度説明することはしない。
【００４６】
１０２で、セカンダリ基地局が、セカンダリ・サービング・セルのＴＤＤ構成情報およびセカンダリ・サービング・セルのアイデンティティをプライマリ基地局に送信する。
【００４７】
場合によっては、当該実施形態の第１の実装方式は以下の通りである。セカンダリ基地局が端末と通信する前に、当業者は、セカンダリ基地局に対して、セカンダリ・サービング・セルのＴＤＤ構成情報が送信される時点とセカンダリ・サービング・セルのＴＤＤ構成情報がセカンダリ基地局で有効になるデフォルトの時点の間の第１の期間を設定し、端末に対して、セカンダリ・サービング・セルのＴＤＤ構成情報を受信した時点とセカンダリ・サービング・セルのＴＤＤ構成情報が端末で有効になるデフォルトの時点の間の第２の期間を設定し、当該第１の期間および当該第２の期間をプライマリ基地局に同時に保存する。
【００４８】
セカンダリ基地局がセカンダリ・サービング・セルのＴＤＤ構成情報とセカンダリ・サービング・セルのアイデンティティをプライマリ基地局に送信し、当該第１の期間が経過した後、セカンダリ基地局はセカンダリ・サービング・セルのＴＤＤ構成情報に従って端末と通信し始めることに留意されたい。
【００４９】
例えば、当該第１の期間は２００個のサブフレームであり、セカンダリ基地局がセカンダリ・サービング・セルのＴＤＤ構成情報とセカンダリ・サービング・セルのアイデンティティをプライマリ基地局に送信し、２００個のサブフレームが経過した後、セカンダリ基地局はセカンダリ・サービング・セルのＴＤＤ構成情報に従って端末と通信し始める。
【００５０】
場合によっては、当該実施形態の第２の実装方式は以下の通りである。セカンダリ基地局がセカンダリ・サービング・セルのＴＤＤ構成情報とセカンダリ・サービング・セルのアイデンティティをプライマリ基地局に送信した後、セカンダリ・サービング・セルのＴＤＤ構成情報がセカンダリ基地局に対して有効になり始める。この場合、セカンダリ基地局が、アップリンク・サブフレームで、かつ、セカンダリ・サービング・セルのＴＤＤ構成情報に従って、端末により送信されたデータを受信する。当該アップリンク・サブフレームで、端末が送信したデータを受信した後、セカンダリ基地局はセカンダリ・サービング・セルのＴＤＤ構成情報がデフォルトで端末で有効になっていることを学習する。その後、セカンダリ基地局が、セカンダリ・サービング・セルのＴＤＤ構成情報に従って端末と通信する。当該実施形態のステップ１０２の具体的な実装は上述の２つの方式に限定されないことに留意されたい。
【００５１】
１０３で、セカンダリ基地局により送信されたセカンダリ・サービング・セルのＴＤＤ構成情報とセカンダリ・サービング・セルのアイデンティティを受信した後、端末が当該ＴＤＤ構成情報に従ってセカンダリ・サービング・セルのアップリンク・ダウンリンク・サブフレーム割当てを決定するように、プライマリ基地局がセカンダリ・サービング・セルのＴＤＤ構成情報とセカンダリ・サービング・セルのアイデンティティを端末に送信する。
【００５２】
場合によっては、上述のステップ１０２の当該第１の実装方式に関して、当該ステップを特に以下の方法を用いて実装してもよい。
【００５３】
端末がセカンダリ・サービング・セルのＴＤＤ構成情報とセカンダリ・サービング・セルのアイデンティティを受信し、当該第２の期間が経過した後、端末がセカンダリ・サービング・セルのＴＤＤ構成情報に従ってセカンダリ基地局と通信し始める。プライマリ基地局がセカンダリ・サービング・セルのＴＤＤ構成情報とセカンダリ・サービング・セルのアイデンティティを受信してからプライマリ基地局がセカンダリ・サービング・セルのＴＤＤ構成情報とセカンダリ・サービング・セルのアイデンティティを端末に送信するまでの期間が必要である。したがって、当該設定された第１の期間は当該第２の期間より長い。
【００５４】
例えば、当該第２の期間は１８０個のサブフレームであり、端末がセカンダリ・サービング・セルのＴＤＤ構成情報とセカンダリ・サービング・セルのアイデンティティを受信し、１８０個のサブフレームが経過した後、端末がセカンダリ・サービング・セルのＴＤＤ構成情報に従ってセカンダリ基地局と通信し始める。
【００５５】
セカンダリ・サービング・セルのＴＤＤ構成情報がセカンダリ基地局と端末で同時に有効になることを保証するために、当該第１の期間が２００個のサブフレームであり、当該第２の期間が１８０個のサブフレームであるとき、プライマリ基地局は、１０番目のサブフレームで、セカンダリ基地局により送信されたセカンダリ・サービング・セルのＴＤＤ構成情報とセカンダリ・サービング・セルのアイデンティティを受信し、この場合、プライマリ基地局がセカンダリ・サービング・セルのＴＤＤ構成情報とセカンダリ・サービング・セルのアイデンティティを３０番目のサブフレームで端末に送信することに留意されたい。
【００５６】
場合によっては、上述のステップ１０２の当該第２の実装方式に関して、当該ステップを特に以下の方法を用いて実装してもよい。
【００５７】
セカンダリ・サービング・セルのＴＤＤ構成情報とセカンダリ・サービング・セルのアイデンティティを受信した後、端末はセカンダリ・サービング・セルのＴＤＤ構成情報に従ってデータをアップリンク・サブフレームでセカンダリ基地局に送信する。ダウンリンク・サブフレームでセカンダリ基地局により送信されたデータを受信した後、端末はセカンダリ・サービング・セルのＴＤＤ構成情報に従ってセカンダリ基地局と通信し始める。当該実施形態のステップ１０３の具体的な実装は上述の２つの方式に限定されないことに留意されたい。
【００５８】
上述の図１で説明したセカンダリ・サービング・セルの時分割多重構成を実装するための方法によれば、ＴＤＤ構成をセカンダリ・サービング・セルに対して実施するとき、セカンダリ基地局は、セカンダリ基地局のＴＤＤ構成を要求するセカンダリ・サービング・セルに対するＴＤＤ構成情報を積極的に決定し、セカンダリ・サービング・セルのＴＤＤ構成情報とセカンダリ・サービング・セルのアイデンティティをプライマリ基地局に送信することができる。したがって、端末がセカンダリ・サービング・セルのＴＤＤ構成情報に従ってセカンダリ・サービング・セルのアップリンク・ダウンリンク・サブフレーム割当てを決定するように、プライマリ基地局が、セカンダリ基地局により送信されたセカンダリ・サービング・セルのＴＤＤ構成情報とセカンダリ・サービング・セルのアイデンティティを受信し、セカンダリ・サービング・セルのＴＤＤ構成情報とセカンダリ・サービング・セルのアイデンティティを端末に送信することができる。当該実施形態では、端末が、プライマリ基地局により送信されたセカンダリ・サービング・セルのＴＤＤ構成情報とセカンダリ・サービング・セルのアイデンティティを受信し、セカンダリ・サービング・セルのアップリンク・ダウンリンク・サブフレーム割当てをセカンダリ・サービング・セルのＴＤＤ構成情報に従って決定した後、セカンダリ・サービング・セルのＴＤＤ構成が実現される。当該方法によれば、端末のプライマリ・サービング・セルとセカンダリ・サービング・セルが異なる基地局に属するとき、セカンダリ・サービング・セルのＴＤＤ構成を実現できることが分かる。
【００５９】
図２を参照する。図２は、当該実施形態に従うセカンダリ・サービング・セルの時分割多重構成を実装するための別の方法の流れ図である。当該方法は特に以下を含む。
【００６０】
２０１で、プライマリ基地局が、セカンダリ基地局のセカンダリ・サービング・セルに対するＴＤＤ構成情報を決定する。
【００６１】
２０２で、プライマリ基地局が、セカンダリ・サービング・セルのＴＤＤ構成情報およびセカンダリ・サービング・セルのアイデンティティをセカンダリ基地局に送信し、セカンダリ・サービング・セルのＴＤＤ構成情報とセカンダリ・サービング・セルのアイデンティティを端末に送信する。
【００６２】
場合によっては、当該実施形態の第１の実装方式は以下の通りである。セカンダリ基地局が端末と通信する前に、当業者は、セカンダリ基地局に対して、セカンダリ・サービング・セルのＴＤＤ構成情報を受信した時点とセカンダリ・サービング・セルのＴＤＤ構成情報がセカンダリ基地局で有効になるデフォルトの時点の間の第３の期間を設定し、端末に対して、セカンダリ・サービング・セルのＴＤＤ構成情報を受信した時点とセカンダリ・サービング・セルのＴＤＤ構成情報が端末で有効になるデフォルトの時点の間の第４の期間を設定し、当該第３の期間と当該第４の期間をプライマリ基地局に同時に保存する。当該第３の期間は当該第４の期間以上であってもよく、当該第４の期間未満であってもよい。
【００６３】
当該第３の期間が当該第４の期間より長いとき、プライマリ基地局は先ずセカンダリ・サービング・セルのＴＤＤ構成情報とセカンダリ・サービング・セルのアイデンティティをセカンダリ基地局に送信し、次いで、セカンダリ・サービング・セルのＴＤＤ構成情報とセカンダリ・サービング・セルのアイデンティティを端末に送信する。当該第３の期間が当該第４の期間に等しいとき、プライマリ基地局が、セカンダリ・サービング・セルのＴＤＤ構成情報とセカンダリ・サービング・セルのアイデンティティをセカンダリ基地局と端末に同時に送信する。当該第３の期間が当該第４の期間より短いとき、プライマリ基地局は先ずセカンダリ・サービング・セルのＴＤＤ構成情報とセカンダリ・サービング・セルのアイデンティティを端末に送信し、次いで、セカンダリ・サービング・セルのＴＤＤ構成情報とセカンダリ・サービング・セルのアイデンティティをセカンダリ基地局に送信する。
【００６４】
場合によっては、当該実施形態の第２の実装方式は以下の通りである。プライマリ基地局が先ずセカンダリ・サービング・セルのＴＤＤ構成情報とセカンダリ・サービング・セルのアイデンティティをセカンダリ基地局に送信し、次いで、セカンダリ・サービング・セルのＴＤＤ構成情報とセカンダリ・サービング・セルのアイデンティティを端末に送信する。当該実施形態のステップ２０２の具体的な実装は上述の２つの方式に限定されないことに留意されたい。
【００６５】
２０３で、プライマリ基地局により送信されたセカンダリ・サービング・セルのＴＤＤ構成情報とセカンダリ・サービング・セルのアイデンティティを受信した後、セカンダリ基地局がセカンダリ・サービング・セルのＴＤＤ構成情報に従ってセカンダリ・サービング・セルのアップリンク・ダウンリンク・サブフレーム割当てを決定する。
【００６６】
場合によっては、上述のステップ２０２の当該第１の実装方式に関して、当該ステップを特に以下の方法を用いて実装してもよい。
【００６７】
セカンダリ基地局がプライマリ基地局により送信されたセカンダリ・サービング・セルのＴＤＤ構成情報とセカンダリ・サービング・セルのアイデンティティを受信し、当該第３の期間が経過した後、セカンダリ基地局はセカンダリ・サービング・セルのＴＤＤ構成情報に従って端末と通信し始める。
【００６８】
例えば、当該第３の期間は２００個のサブフレームであり、セカンダリ基地局が、プライマリ基地局により送信されたセカンダリ・サービング・セルのＴＤＤ構成情報とセカンダリ・サービング・セルのアイデンティティを受信し、２００個のサブフレームが経過した後、セカンダリ基地局はセカンダリ・サービング・セルのＴＤＤ構成情報に従って端末と通信し始める。
【００６９】
同様に、端末が、プライマリ基地局により送信されたセカンダリ・サービング・セルのＴＤＤ構成情報とセカンダリ・サービング・セルのアイデンティティを受信し、当該第４の期間が経過した後、端末がセカンダリ・サービング・セルのＴＤＤ構成情報に従ってセカンダリ基地局と通信し始める。
【００７０】
例えば、当該第４の期間は１８０個のサブフレームであり、端末が、プライマリ基地局により送信されたセカンダリ・サービング・セルのＴＤＤ構成情報とセカンダリ・サービング・セルのアイデンティティを受信し、１８０個のサブフレームが経過した後、端末がセカンダリ・サービング・セルのＴＤＤ構成情報に従ってセカンダリ基地局と通信し始める。
【００７１】
セカンダリ・サービング・セルのＴＤＤ構成情報がセカンダリ・サービング・セルと端末で同時に有効になることを保証するため、当該第３の期間が２００個のサブフレームであり、当該第４の期間が１８０個のサブフレームであるとき、プライマリ基地局がセカンダリ・サービング・セルのＴＤＤ構成情報とセカンダリ・サービング・セルのアイデンティティをセカンダリ基地局に１０番目のサブフレームで送信し、この場合、プライマリ基地局がセカンダリ・サービング・セルのＴＤＤ構成情報とセカンダリ・サービング・セルのアイデンティティを端末に３０番目のサブフレームで送信することに留意されたい。
【００７２】
場合によっては、上述のステップ２０２の当該第２の実装方式に関して、当該ステップを特に以下の方法を用いて実装してもよい。
【００７３】
セカンダリ基地局が、プライマリ基地局により送信されたセカンダリ・サービング・セルのＴＤＤ構成情報とセカンダリ・サービング・セルのアイデンティティを受信した後、セカンダリ・サービング・セルのＴＤＤ構成情報がセカンダリ基地局に対して有効になり始める。この場合、セカンダリ基地局は、アップリンク・サブフレームで、かつ、セカンダリ・サービング・セルのＴＤＤ構成情報に従って、端末により送信されたデータを受信する。当該アップリンク・サブフレームで、端末が送信したデータを受信した後、セカンダリ基地局は、セカンダリ・サービング・セルのＴＤＤ構成情報がデフォルトで端末で有効になっていることを学習する。その後、セカンダリ基地局が、セカンダリ・サービング・セルのＴＤＤ構成情報に従って端末と通信する。
【００７４】
それに応じて、セカンダリ・サービング・セルのＴＤＤ構成情報とセカンダリ・サービング・セルのアイデンティティを受信した後、端末はセカンダリ・サービング・セルのＴＤＤ構成情報に従ってデータをアップリンク・サブフレームでセカンダリ基地局に送信し、ダウンリンク・サブフレームでセカンダリ基地局により送信されたデータを受信した後、端末がセカンダリ・サービング・セルのＴＤＤ構成情報に従ってセカンダリ基地局と通信し始める。当該実施形態のステップ２０３の具体的な実装は上述の２つの方式に限定されないことに留意されたい。
【００７５】
上述の図２で説明したセカンダリ・サービング・セルの時分割多重構成を実装するための方法によれば、ＴＤＤ構成をセカンダリ・サービング・セルに対して実施するとき、セカンダリ基地局および端末がセカンダリ・サービング・セルのアップリンク・ダウンリンク・サブフレーム割当てをセカンダリ・サービング・セルのＴＤＤ構成情報に従って決定できるように、プライマリ基地局はＴＤＤ構成を要求するセカンダリ・サービング・セルに対するＴＤＤ構成情報を積極的に決定し、セカンダリ・サービング・セルのＴＤＤ構成情報とセカンダリ・サービング・セルのアイデンティティをセカンダリ基地局と端末に別々に送信することができる。当該実施形態では、セカンダリ基地局および端末の両方がプライマリ基地局により送信されたセカンダリ・サービング・セルのＴＤＤ構成情報とセカンダリ・サービング・セルのアイデンティティを受信し、セカンダリ・サービング・セルのアップリンク・ダウンリンク・サブフレーム割当てをセカンダリ・サービング・セルのＴＤＤ構成情報に従って決定した後、セカンダリ・サービング・セルのＴＤＤ構成が実現される。当該方法によれば、端末のプライマリ・サービング・セルとセカンダリ・サービング・セルが異なる基地局に属するとき、セカンダリ・サービング・セルのＴＤＤ構成を実現できることが分かる。
【００７６】
実施形態２
図３を参照する。図３は当該実施形態に従うセカンダリ・サービング・セルの時分割多重構成を実装するための方法の流れ図である。当該方法は特に以下を含む。
【００７７】
３０１で、セカンダリ基地局がセカンダリ基地局のセカンダリ・サービング・セルに対するＴＤＤ構成情報を決定する。
【００７８】
セカンダリ基地局によりセカンダリ基地局のセカンダリ・サービング・セルに対するＴＤＤ構成情報を決定するための方法は、先行技術の基地局によりセカンダリ・サービング・セルに対するＴＤＤ構成情報を決定するための方法と同じであり、詳細を再度説明することはしない。
【００７９】
３０２で、セカンダリ基地局が第１のメッセージをプライマリ基地局に送信する。当該第１のメッセージは、第１の時点、セカンダリ・サービング・セルのＴＤＤ構成情報、およびセカンダリ・サービング・セルのアイデンティティを含む。当該第１の時点を使用して、プライマリ基地局が第２のメッセージを端末に送信する時点を示す。
【００８０】
当該方法では、セカンダリ基地局が端末と通信する前に、当業者は、セカンダリ基地局に対して、当該第１のメッセージが送信された時点とセカンダリ・サービング・セルのＴＤＤ構成情報がセカンダリ基地局で有効になるデフォルトの時点との間の第１の期間を設定し、端末に対して、当該第２のメッセージが受信された時点とセカンダリ・サービング・セルのＴＤＤ構成情報が端末で有効になるデフォルトの時点の間の第２の期間を設定する。
【００８１】
セカンダリ基地局が当該第１のメッセージをプライマリ基地局に送信し、当該第１の期間が経過した後、セカンダリ基地局はセカンダリ・サービング・セルのＴＤＤ構成情報に従って端末と通信し始めることに留意されたい。
【００８２】
例えば、当該第１の期間は２００個のサブフレームであり、セカンダリ基地局が当該第１のメッセージをプライマリ基地局に送信し、２００個のサブフレームが経過した後、セカンダリ基地局はセカンダリ・サービング・セルのＴＤＤ構成情報に従って端末と通信し始める。
【００８３】
セカンダリ基地局は当該第１の期間と当該第２の期間に従って当該第１の時点を取得して、セカンダリ・サービング・セルのＴＤＤ構成情報がセカンダリ・サービング・セルと端末で同時に有効になることを保証することに留意されたい。例えば、当該第１の期間は２００個のサブフレームであり、当該第２の期間は１８０個のサブフレームであり、セカンダリ基地局が２０番目のサブフレームで当該第１のメッセージをプライマリ基地局に送信する。この場合、セカンダリ基地局により決定された当該第１の時点は４０番目のサブフレームである。
【００８４】
３０３で、プライマリ基地局がセカンダリ基地局により送信されたセカンダリ・サービング・セルの当該第１のメッセージを受信した後、当該第１の時点に到達したときに、プライマリ基地局は第２のメッセージを端末に送信する。当該第２のメッセージは、セカンダリ・サービング・セルのＴＤＤ構成情報とセカンダリ・サービング・セルのアイデンティティを含む。
【００８５】
例えば、当該第１の時点が４０番目のサブフレームであり、プライマリ基地局が、２０番目のサブフレームで、セカンダリ基地局により送信されたセカンダリ・サービング・セルのＴＤＤ構成情報とセカンダリ・サービング・セルのアイデンティティを受信し、４０番目のサブフレームで、プライマリ基地局が、セカンダリ・サービング・セルのＴＤＤ構成情報とセカンダリ・サービング・セルのアイデンティティを端末に送信する。
【００８６】
３０４で、プライマリ基地局により送信された当該第２のメッセージを受信した後、端末がセカンダリ・サービング・セルのＴＤＤ構成情報に従ってセカンダリ・サービング・セルのアップリンク・ダウンリンク・サブフレーム割当てを決定する。
【００８７】
端末がプライマリ基地局により送信された当該第２のメッセージを受信し、当該第２の期間が経過した後、端末がセカンダリ・サービング・セルのＴＤＤ構成情報に従ってセカンダリ基地局と通信し始めることに留意されたい。
【００８８】
例えば、当該第２の期間は１８０個のサブフレームであり、端末がプライマリ基地局により送信された当該第２のメッセージを受信し、１８０個のサブフレームが経過した後、端末がセカンダリ・サービング・セルのＴＤＤ構成情報に従ってセカンダリ基地局と通信し始める。
【００８９】
３０５で、セカンダリ・サービング・セルのアップリンク・ダウンリンク・サブフレーム割当てをセカンダリ・サービング・セルのＴＤＤ構成情報に従って決定した後、、セカンダリ・サービング・セルのアップリンク・ダウンリンク・サブフレーム割当ての決定の成功を示すために使用される応答メッセージを端末がプライマリ基地局に送信する。
【００９０】
当該実施形態で提供したセカンダリ・サービング・セルの時分割多重構成を実装するための方法によれば、ＴＤＤ構成をセカンダリ・サービング・セルに対して実施するとき、セカンダリ基地局は、セカンダリ基地局のＴＤＤ構成を要求するセカンダリ・サービング・セルに対するＴＤＤ構成情報を積極的に決定し、第１のメッセージをプライマリ基地局に送信することができる。当該第１のメッセージは、第１の時点、セカンダリ・サービング・セルのＴＤＤ構成情報、およびセカンダリ・サービング・セルのアイデンティティを含む。したがって、セカンダリ基地局により送信された当該第１のメッセージを受信した後、端末がセカンダリ・サービング・セルのＴＤＤ構成情報に従ってセカンダリ・サービング・セルのアップリンク・ダウンリンク・サブフレーム割当てを決定するように、プライマリ基地局が当該第１のメッセージ内の当該第１の時点に従って第２のメッセージを端末に送信する。当該第２のメッセージは、セカンダリ・サービング・セルのＴＤＤ構成情報とセカンダリ・サービング・セルのアイデンティティを含む。当該実施形態では、端末がプライマリ基地局により送信された当該第２のメッセージを受信し、セカンダリ・サービング・セルのアップリンク・ダウンリンク・サブフレーム割当てをセカンダリ・サービング・セルのＴＤＤ構成情報に従って決定した後、セカンダリ・サービング・セルのＴＤＤ構成が実現される。当該実施形態の１態様では、端末のプライマリ・サービング・セルとセカンダリ・サービング・セルが異なる基地局に属するとき、セカンダリ・サービング・セルのＴＤＤ構成を実現できることが分かる。別の態様では、セカンダリ基地局が第１のメッセージを送信する時点とセカンダリ・サービング・セルのＴＤＤ構成情報がセカンダリ基地局で有効になる時点の間の第１の期間が事前に設定され、端末が第２のメッセージを受信した時点とセカンダリ・サービング・セルのＴＤＤ構成情報が有効になる時点の間の第２の期間が設定される。その結果、プライマリ基地局が当該第２のメッセージを第１の時点で端末に送信し、それにより、セカンダリ・サービング・セルのＴＤＤ構成情報がセカンダリ基地局と端末で同時に有効になることが保証される。
【００９１】
実施形態３
図４を参照する。図４は当該実施形態に従うセカンダリ・サービング・セルの時分割多重構成を実装するための方法の流れ図である。当該方法は特に以下を含む。
【００９２】
４０１で、セカンダリ基地局がセカンダリ基地局のセカンダリ・サービング・セルに対するＴＤＤ構成情報を決定する。
【００９３】
セカンダリ基地局によりセカンダリ基地局のセカンダリ・サービング・セルに対するＴＤＤ構成情報を決定するための方法は先行技術の基地局によりセカンダリ・サービング・セルに対するＴＤＤ構成情報を決定するための方法と同じであり、詳細を再度説明することはしない。
【００９４】
４０２で、セカンダリ基地局が第１のメッセージをプライマリ基地局に送信する。当該第１のメッセージは、第２の時点、セカンダリ・サービング・セルのＴＤＤ構成情報、およびセカンダリ・サービング・セルのアイデンティティを含む。当該第２の時点は、セカンダリ・サービング・セルのＴＤＤ構成情報がセカンダリ基地局と端末に対して別々に有効になる時点である。
【００９５】
セカンダリ基地局が当該第１のメッセージをプライマリ基地局に送信した後、当該第２の時点で、セカンダリ基地局はセカンダリ・サービング・セルのＴＤＤ構成情報に従って端末と通信し始めることに留意されたい。
【００９６】
例えば、当該第２の時点は２００番目のサブフレームであり、セカンダリ基地局が当該第１のメッセージをプライマリ基地局に送信した後、セカンダリ基地局はセカンダリ・サービング・セルのＴＤＤ構成情報に従って２００番目のサブフレームで端末と通信し始める。
【００９７】
４０３で、プライマリ基地局がセカンダリ基地局により送信されたセカンダリ・サービング・セルの当該第１のメッセージを受信した後、当該第２の時点に到達する前に、プライマリ基地局が当該第１のメッセージを端末に送信する。
【００９８】
４０４で、プライマリ基地局により送信された当該第１のメッセージを受信した後、端末がセカンダリ・サービング・セルのＴＤＤ構成情報に従ってセカンダリ・サービング・セルのアップリンク・ダウンリンク・サブフレーム割当てを決定する。
【００９９】
端末が、プライマリ基地局により送信された当該第１のメッセージを受信した後、端末がセカンダリ・サービング・セルのＴＤＤ構成情報に従って当該第２の時点でセカンダリ基地局と通信し始めることに留意されたい。
【０１００】
例えば、当該第２の時点は２００番目のサブフレームであり、端末が、プライマリ基地局により送信された当該第１のメッセージを受信したとき、端末がセカンダリ・サービング・セルのＴＤＤ構成情報に従って２００番目のサブフレームでセカンダリ基地局と通信し始める。
【０１０１】
４０５で、セカンダリ・サービング・セルのアップリンク・ダウンリンク・サブフレーム割当てをセカンダリ・サービング・セルのＴＤＤ構成情報に従って決定した後、セカンダリ・サービング・セルのアップリンク・ダウンリンク・サブフレーム割当ての決定の成功を示すために使用される応答メッセージを端末がプライマリ基地局に送信する。
【０１０２】
当該実施形態で提供したセカンダリ・サービング・セルの時分割多重構成を実装するための方法によれば、ＴＤＤ構成をセカンダリ・サービング・セルに対して実施するとき、セカンダリ基地局が、ＴＤＤ構成を要求するセカンダリ基地局のセカンダリ・サービング・セルに対するＴＤＤ構成情報を積極的に決定し、第１のメッセージをプライマリ基地局に送信することができる。当該第１のメッセージは、第２の時点、セカンダリ・サービング・セルのＴＤＤ構成情報、およびセカンダリ・サービング・セルのアイデンティティを含む。したがって、セカンダリ基地局により送信された当該第１のメッセージを受信した後、端末がセカンダリ・サービング・セルのＴＤＤ構成情報に従ってセカンダリ・サービング・セルのアップリンク・ダウンリンク・サブフレーム割当てを決定するように、プライマリ基地局が当該第１のメッセージを端末に送信する。当該実施形態では、端末が、プライマリ基地局により送信された当該第１のメッセージを受信し、セカンダリ・サービング・セルのアップリンク・ダウンリンク・サブフレーム割当てをセカンダリ・サービング・セルのＴＤＤ構成情報に従って決定した後、セカンダリ・サービング・セルのＴＤＤ構成が実現される。当該実施形態の１態様では、端末のプライマリ・サービング・セルとセカンダリ・サービング・セルが異なる基地局に属するとき、セカンダリ・サービング・セルのＴＤＤ構成を実現できることが分かる。別の態様では、第１のメッセージは第２の時点を含む。したがって、当該第１のメッセージを受信した後、端末は、セカンダリ・サービング・セルのＴＤＤ構成情報を当該第２の時点で有効にすることができ、それによりセカンダリ・サービング・セルのＴＤＤ構成情報がセカンダリ基地局と端末に対して同時に有効になることが保証される。
【０１０３】
実施形態４
図５を参照する。図５は、当該実施形態に従うセカンダリ・サービング・セルの時分割多重構成を実装するための方法の流れ図である。当該方法は特に以下を含む。
【０１０４】
５０１で、セカンダリ基地局が、セカンダリ基地局のセカンダリ・サービング・セルに対するＴＤＤ構成情報を決定する。
【０１０５】
セカンダリ基地局によりセカンダリ基地局のセカンダリ・サービング・セルに対するＴＤＤ構成情報を決定するための方法は先行技術の基地局によりセカンダリ・サービング・セルに対するＴＤＤ構成情報を決定するための方法と同じであり、詳細を再度説明することはしない。
【０１０６】
５０２で、セカンダリ基地局が第１のメッセージをプライマリ基地局に送信する。当該第１のメッセージは、セカンダリ・サービング・セルのＴＤＤ構成情報およびセカンダリ・サービング・セルのアイデンティティを含む。
【０１０７】
当該方法では、セカンダリ基地局が端末と通信する前に、当業者は、セカンダリ基地局に対して、当該第１のメッセージが送信された時点とセカンダリ・サービング・セルのＴＤＤ構成情報がセカンダリ基地局で有効になるデフォルトの時点の間の第１の期間を設定する。
【０１０８】
セカンダリ基地局が当該第１のメッセージをプライマリ基地局に送信し、当該第１の期間が経過した後、セカンダリ基地局はセカンダリ・サービング・セルのＴＤＤ構成情報に従って端末と通信し始めることに留意されたい。
【０１０９】
例えば、当該第１の期間は２００個のサブフレームであり、セカンダリ基地局が当該第１のメッセージをプライマリ基地局に送信し、２００個のサブフレームが経過した後、セカンダリ基地局はセカンダリ・サービング・セルのＴＤＤ構成情報に従って端末と通信し始める。
【０１１０】
５０３で、セカンダリ基地局により送信された当該第１のメッセージを受信した後、プライマリ基地局が第３の時点を決定する。当該第３の時点は、セカンダリ・サービング・セルのＴＤＤ構成情報が端末で有効になるデフォルトの時点である。
【０１１１】
プライマリ基地局により当該第３の時点を決定するための方法は特に以下の通りである。プライマリ基地局は、予め記憶された第１の期間を当該第１のメッセージが受信された時点に追加することで当該第３の時点を取得する。
【０１１２】
プライマリ基地局とセカンダリ基地局の間の遅延が無視され、したがって、プライマリ基地局がセカンダリ基地局により送信された当該第１のメッセージを受信した上述の時点はセカンダリ基地局が当該第１のメッセージをプライマリ基地局に送信した時点と同じであるることに留意されたい。
【０１１３】
例えば、プライマリ基地局がセカンダリ基地局により送信された当該第１のメッセージを受信した時点は３０番目のサブフレームであり、当該第１の期間は１００サブフレームであり、プライマリ基地局により決定される第３の時点は１３０番目のサブフレームである。
【０１１４】
５０４で、当該第３の時点に到達する前に、プライマリ基地局が第２のメッセージを端末に送信する。当該第２のメッセージは、当該第３の時点、セカンダリ・サービング・セルのＴＤＤ構成情報、およびセカンダリ・サービング・セルのアイデンティティを含む。
【０１１５】
５０５で、プライマリ基地局により送信された当該第２のメッセージを受信した後、端末がセカンダリ・サービング・セルのＴＤＤ構成情報に従ってセカンダリ・サービング・セルのアップリンク・ダウンリンク・サブフレーム割当てを決定する。
【０１１６】
端末がプライマリ基地局により送信された当該第２のメッセージを受信したとき、端末がセカンダリ・サービング・セルのＴＤＤ構成情報に従って当該第３の時点でセカンダリ基地局と通信し始めることに留意されたい。
【０１１７】
例えば、当該第３の時点は１３０番目のサブフレームであり、端末がプライマリ基地局により送信された当該第２のメッセージを受信したとき、端末はセカンダリ・サービング・セルのＴＤＤ構成情報に従って１３０番目のサブフレームでセカンダリ基地局と通信し始める。
【０１１８】
５０６で、セカンダリ・サービング・セルのアップリンク・ダウンリンク・サブフレーム割当てをセカンダリ・サービング・セルのＴＤＤ構成情報に従って決定した後、セカンダリ・サービング・セルのアップリンク・ダウンリンク・サブフレーム割当ての決定の成功を示すために使用される応答メッセージを端末がプライマリ基地局に送信する。
【０１１９】
当該実施形態で提供したセカンダリ・サービング・セルの時分割多重構成を実装するための方法によれば、ＴＤＤ構成をセカンダリ・サービング・セルに対して実施するとき、セカンダリ基地局が、ＴＤＤ構成を要求するセカンダリ基地局のセカンダリ・サービング・セルに対するＴＤＤ構成情報を積極的に決定し、第１のメッセージをプライマリ基地局に送信することができる。当該第１のメッセージは、セカンダリ・サービング・セルのＴＤＤ構成情報およびセカンダリ・サービング・セルのアイデンティティを含む。したがって、セカンダリ基地局により送信された当該第１のメッセージを受信した後、プライマリ基地局が第３の時点を決定し、第２のメッセージを端末に送信する。当該第２のメッセージは、当該第３の時点、セカンダリ・サービング・セルのＴＤＤ構成情報、およびセカンダリ・サービング・セルのアイデンティティを含む。その結果、端末がセカンダリ・サービング・セルのＴＤＤ構成情報に従ってセカンダリ・サービング・セルのアップリンク・ダウンリンク・サブフレーム割当てを決定する。当該実施形態では、端末がプライマリ基地局により送信された当該第２のメッセージを受信し、セカンダリ・サービング・セルのアップリンク・ダウンリンク・サブフレーム割当てをセカンダリ・サービング・セルのＴＤＤ構成情報に従って決定した後、セカンダリ・サービング・セルのＴＤＤ構成が実現される。当該実施形態の１態様では、端末のプライマリ・サービング・セルとセカンダリ・サービング・セルが異なる基地局に属するとき、セカンダリ・サービング・セルのＴＤＤ構成を実現できることが分かる。別の態様では、セカンダリ基地局が第１のメッセージを送信する時点とセカンダリ・サービング・セルのＴＤＤ構成情報がセカンダリ基地局で有効になる時点の間の第１の期間が事前に設定される。したがって、プライマリ基地局は、当該第１の期間に従って第３の時点を決定することができ、さらに、第２のメッセージを受信した後、端末は、セカンダリ・サービング・セルのＴＤＤ構成を当該第３の時点で有効にすることができ、それにより、セカンダリ・サービング・セルのＴＤＤ構成情報がセカンダリ基地局と端末で同時に有効になることが保証される。
【０１２０】
実施形態５
図６を参照する。図６は、当該実施形態に従うセカンダリ・サービング・セルの時分割多重構成を実装するための方法の流れ図である。当該方法は特に以下を含む。
【０１２１】
６０１で、プライマリ基地局が、セカンダリ基地局のセカンダリ・サービング・セルに対するＴＤＤ構成情報を決定する。
【０１２２】
プライマリ基地局がセカンダリ基地局のセカンダリ・サービング・セルに対するＴＤＤ構成情報を相対的に正確に決定できるようにするために、上述のステップ６０１をさらに以下のステップで置き換えてもよいことに留意されたい。
【０１２３】
６０１’で、セカンダリ基地局が要求メッセージをプライマリ基地局に送信する。当該要求メッセージは、セカンダリ・サービング・セルのダウンリンク・バッファのデータ量と端末のアップリンク・バッファのデータ量を含む。
【０１２４】
ステップ６０１’の前に、当該実施形態はさらに以下のステップを含む。セカンダリ基地局は、端末により送信されたバッファ・ステータス・レポート情報を受信し、当該バッファ・ステータス・レポート情報に従って端末のアップリンク・バッファ内のデータ量を決定する。特に、当該ステップを以下の方式で実装してもよい。
【０１２５】
セカンダリ基地局が、セカンダリ基地局と通信する複数の端末の各々が送信した最新のバッファ・ステータス・レポート情報の各々を受信し、複数の端末が送信したバッファ・ステータス・レポート情報に含まれるデータ量を平均して、各端末のアップリンク・バッファのデータ量を得るか、または、セカンダリ基地局が、セカンダリ基地局と通信する任意の端末が送信した複数のバッファ・ステータス・レポート情報を受信し、当該複数のバッファ・ステータス・レポート情報に含まれるデータ量を平均して、端末のアップリンク・バッファ内のデータ量を得るか、または、セカンダリ基地局が、セカンダリ基地局と通信する複数の端末が送信した複数のバッファ・ステータス・レポート情報を別々に受信し、当該複数の端末が送信した当該複数のバッファ・ステータス・レポート情報に含まれるデータ量を平均して、各端末のアップリンク・バッファのデータ量を得る。
【０１２６】
６０２’で、プライマリ基地局が、セカンダリ基地局のセカンダリ・サービング・セルに対するＴＤＤ構成情報を、当該要求メッセージの中のセカンダリ・サービング・セルのダウンリンク・バッファ内のデータ量と端末のアップリンク・バッファ内のデータ量に従って決定する。
【０１２７】
例えば、上述のセカンダリ・サービング・セルのダウンリンク・バッファのデータ量は１０００ビットであり、端末のアップリンク・バッファ内のデータ量は１５００ビットであり、１つのフレームを、セカンダリ・サービング・セルに対するプライマリ基地局により決定されたＴＤＤ構成情報において１０タイムスロットに分割してもよい。即ち、各タイムスロットは１つのサブフレームであり、１つのフレームにおける１番目から６番目のサブフレームを端末により使用してアップリンク・データをセカンダリ基地局に送信し、１つのフレームにおける７番から１０番目のサブフレームをセカンダリ基地局により使用してダウンリンク・データを端末に送信することが規定される。
【０１２８】
６０２で、プライマリ基地局が第１のメッセージをセカンダリ基地局に送信する。当該第１のメッセージは、第１の時点、セカンダリ・サービング・セルのＴＤＤ構成情報、およびセカンダリ・サービング・セルのアイデンティティを含む。
【０１２９】
当該第１の時点は、セカンダリ・サービング・セルのＴＤＤ構成情報がセカンダリ基地局で有効になるデフォルトの時点である。
【０１３０】
６０３で、セカンダリ基地局が、プライマリ基地局により送信された当該第１のメッセージを受信し、セカンダリ・サービング・セルのＴＤＤ構成情報に従ってセカンダリ・サービング・セルのアップリンク・ダウンリンク・サブフレーム割当てを決定する。
【０１３１】
セカンダリ基地局が、プライマリ基地局により送信された当該第１のメッセージを受信した後、セカンダリ基地局は、セカンダリ・サービング・セルのＴＤＤ構成情報に従って当該第１の時点で端末と通信し始めることに留意されたい。
【０１３２】
例えば、当該第１の時点は１００番目のサブフレームであり、セカンダリ基地局が、プライマリ基地局により送信された当該第１のメッセージを受信した後、セカンダリ基地局はセカンダリ・サービング・セルのＴＤＤ構成情報に従って１００番目のサブフレームで端末と通信し始める。
【０１３３】
６０４で、プライマリ基地局が第１の送信時点を決定する。当該第１の送信時点はプライマリ基地局が第２のメッセージを端末に送信した時点であり、当該第１の送信時点は、予め記憶された第１の期間を当該第１の時点から差し引くことで得られる時点である。
【０１３４】
当該方法では、セカンダリ基地局が端末と通信する前に、上述の第１の期間は、端末に対して当業者により設定された、当該第２のメッセージが受信された時点およびセカンダリ・サービング・セルのＴＤＤ構成情報が端末で有効になるデフォルトの時点の間の時間間隔であり、当該第１の期間はプライマリ基地局に保存される。
【０１３５】
例えば、当該第１の時点は１０００番目のサブフレームであり、当該予め記憶された第１の期間は２００個のサブフレームであり、当該第１の送信時点は８００番目のサブフレームである。当該ステップ６０４および上述のステップ６０３を実施する順序は限定されないことに留意されたい。
【０１３６】
６０５で、当該第１の送信時点に到達したとき、プライマリ基地局は当該第２のメッセージを端末に送信する。当該第２のメッセージは、セカンダリ・サービング・セルのＴＤＤ構成情報とセカンダリ・サービング・セルのアイデンティティを含む。
【０１３７】
例えば、当該第１の送信時点は８００番目のサブフレームであり、８００番目のサブフレームに到達したとき、プライマリ基地局は当該第２のメッセージを端末に送信する。
【０１３８】
６０６で、プライマリ基地局により送信された当該第２のメッセージを受信した後、端末は、セカンダリ・サービング・セルのアップリンク・ダウンリンク・サブフレーム割当てをセカンダリ・サービング・セルのＴＤＤ構成情報に従って決定する。
【０１３９】
端末がプライマリ基地局により送信された当該第２のメッセージを受信し、当該第１の期間が経過した後、端末がセカンダリ・サービング・セルのＴＤＤ構成情報に従ってセカンダリ基地局と通信し始めることに留意されたい。
【０１４０】
例えば、当該第１の期間は２００個のサブフレームであり、端末がプライマリ基地局により送信された当該第２のメッセージを受信し、２００個のサブフレームが経過した後、端末がセカンダリ・サービング・セルのＴＤＤ構成情報に従ってセカンダリ基地局と通信し始める。
【０１４１】
６０７で、セカンダリ・サービング・セルのアップリンク・ダウンリンク・サブフレーム割当てをセカンダリ・サービング・セルのＴＤＤ構成情報に従って決定した後、セカンダリ・サービング・セルのアップリンク・ダウンリンク・サブフレーム割当ての決定の成功を示すために使用される応答メッセージを端末がプライマリ基地局に送信する。
【０１４２】
当該実施形態で提供したセカンダリ・サービング・セルの時分割多重構成を実装するための方法によれば、ＴＤＤ構成をセカンダリ・サービング・セルに対して実施するとき、プライマリ基地局はＴＤＤ構成を要求するセカンダリ・サービング・セルに対するＴＤＤ構成情報を積極的に決定し、第１のメッセージをセカンダリ基地局に送信し、第２のメッセージを端末に送信することができる。当該第１のメッセージは、第１の時点、セカンダリ・サービング・セルのＴＤＤ構成情報、およびセカンダリ・サービング・セルのアイデンティティを含む。当該第２のメッセージは、セカンダリ・サービング・セルのＴＤＤ構成情報とセカンダリ・サービング・セルのアイデンティティを含む。その結果、セカンダリ基地局および端末がセカンダリ・サービング・セルのアップリンク・ダウンリンク・サブフレーム割当てをセカンダリ・サービング・セルのＴＤＤ構成情報に従って決定することができる。当該実施形態では、セカンダリ基地局が、プライマリ基地局により送信された当該第１のメッセージを受信し、端末がプライマリ基地局により送信された当該第２のメッセージを受信し、セカンダリ基地局と端末の両方がセカンダリ・サービング・セルのアップリンク・ダウンリンク・サブフレーム割当てをセカンダリ・サービング・セルのＴＤＤ構成情報に従って決定した後、セカンダリ・サービング・セルのＴＤＤ構成が実現される。当該実施形態の１態様では、端末のプライマリ・サービング・セルとセカンダリ・サービング・セルが異なる基地局に属するとき、セカンダリ・サービング・セルのＴＤＤ構成を実現できることが分かる。当該実施形態の別の態様では、端末が第２のメッセージを受信した時点とセカンダリ・サービング・セルのＴＤＤ構成情報が有効になる時点の間の第１の期間が事前に設定される。したがって、プライマリ基地局は、第１の時点および当該第１の期間に従って、第２のメッセージが端末に送信された第１の送信時点を決定し、当該第２のメッセージを当該第１の送信時点で端末に送信することができる。それによりセカンダリ・サービング・セルのＴＤＤ構成情報がセカンダリ基地局と端末に対して同時に有効になることが保証される。
【０１４３】
実施形態６
図７を参照する。図７は、当該実施形態に従うセカンダリ・サービング・セルの時分割多重構成を実装するための方法の流れ図である。当該方法は特に以下を含む。
【０１４４】
７０１で、プライマリ基地局が、セカンダリ基地局のセカンダリ・サービング・セルに対するＴＤＤ構成情報を決定する。
【０１４５】
プライマリ基地局がセカンダリ基地局のセカンダリ・サービング・セルに対するＴＤＤ構成情報を相対的に正確に決定できるようにするために、上述のステップ７０１をさらに以下のステップで置き換えてもよいことに留意されたい。
【０１４６】
７０１’で、セカンダリ基地局が要求メッセージをプライマリ基地局に送信する。当該要求メッセージは、セカンダリ・サービング・セルのダウンリンク・バッファのデータ量と端末のアップリンク・バッファのデータ量を含む。ステップ７０１’の前に、当該実施形態はさらに以下のステップを含む。
【０１４７】
セカンダリ基地局は、端末により送信されたバッファ・ステータス・レポート情報を受信し、当該バッファ・ステータス・レポート情報に従って端末のアップリンク・バッファ内のデータ量を決定する。特に、当該ステップを特に以下の方式で実装してもよい。
【０１４８】
セカンダリ基地局が、セカンダリ基地局と通信する複数の端末の各々が送信した最新のバッファ・ステータス・レポート情報の各々を受信し、複数の端末が送信したバッファ・ステータス・レポート情報に含まれるデータ量を平均して、各端末のアップリンク・バッファのデータ量を得るか、または、セカンダリ基地局が、セカンダリ基地局と通信する任意の端末が送信した複数のバッファ・ステータス・レポート情報を受信し、当該複数のバッファ・ステータス・レポート情報に含まれるデータ量を平均して、端末のアップリンク・バッファ内のデータ量を得るか、または、セカンダリ基地局が、セカンダリ基地局と通信する複数の端末が送信した複数のバッファ・ステータス・レポート情報を別々に受信し、当該複数の端末が送信した当該複数のバッファ・ステータス・レポート情報に含まれるデータ量を平均して、各端末のアップリンク・バッファのデータ量を得る。
【０１４９】
７０２’で、プライマリ基地局が、セカンダリ基地局により送信された要求メッセージを受信し、セカンダリ基地局のセカンダリ・サービング・セルに対するＴＤＤ構成情報をセカンダリ・サービング・セルのダウンリンク・バッファ内のデータ量と端末のアップリンク・バッファ内のデータ量に従って決定する。当該ステップの具体的な実装方式は上述のステップ６０２’の実装方式と同じであり、ここでは再度例示することはしない。
【０１５０】
７０２で、プライマリ基地局が第１のメッセージをセカンダリ基地局に送信する。当該第１のメッセージは、第２の時点、セカンダリ・サービング・セルのＴＤＤ構成情報、およびセカンダリ・サービング・セルのアイデンティティを含む。当該第２の時点は、セカンダリ・サービング・セルのＴＤＤ構成情報がセカンダリ基地局と端末に対して同時に有効になる時点である。
【０１５１】
７０３で、セカンダリ基地局が、プライマリ基地局により送信された当該第１のメッセージを受信し、セカンダリ・サービング・セルのＴＤＤ構成情報に従ってセカンダリ・サービング・セルのアップリンク・ダウンリンク・サブフレーム割当てを決定する。
【０１５２】
セカンダリ基地局が、プライマリ基地局により送信された当該第１のメッセージを受信したとき、セカンダリ基地局はセカンダリ・サービング・セルのＴＤＤ構成情報に従って当該第２の時点で端末と通信し始めることに留意されたい。
【０１５３】
例えば、当該第２の時点は１００番目のサブフレームであり、セカンダリ基地局が、プライマリ基地局により送信された当該第１のメッセージを受信したとき、セカンダリ基地局はセカンダリ・サービング・セルのＴＤＤ構成情報に従って１００番目のサブフレームで端末と通信し始める。
【０１５４】
７０４で、プライマリ基地局は第１のメッセージを端末に送信する。当該実施形態では、ステップ７０４をさらに上述のステップ７０２の前に実施してもよく、ステップ７０４および上述のステップ７０２を同時に実施してもよいことに留意されたい。
【０１５５】
７０５で、プライマリ基地局により送信された当該第１のメッセージを受信した後、端末がセカンダリ・サービング・セルのＴＤＤ構成情報に従ってセカンダリ・サービング・セルのアップリンク・ダウンリンク・サブフレーム割当てを決定する。
【０１５６】
端末が、プライマリ基地局により送信された当該第１のメッセージを受信したとき、端末が、セカンダリ・サービング・セルのＴＤＤ構成情報に従って当該第２の時点でセカンダリ基地局と通信し始めることに留意されたい。
【０１５７】
例えば、当該第２の時点は１００番目のサブフレームであり、端末がプライマリ基地局により送信された当該第１のメッセージを受信したとき、端末が、セカンダリ・サービング・セルのＴＤＤ構成情報に従って１００番目のサブフレームでセカンダリ基地局と通信し始める。
【０１５８】
７０６で、セカンダリ・サービング・セルのアップリンク・ダウンリンク・サブフレーム割当てをセカンダリ・サービング・セルのＴＤＤ構成情報に従って決定した後、セカンダリ・サービング・セルのアップリンク・ダウンリンク・サブフレーム割当ての決定の成功を示すために使用される応答メッセージを端末がプライマリ基地局に送信する。
【０１５９】
当該実施形態で提供したセカンダリ・サービング・セルの時分割多重構成を実装するための方法によれば、ＴＤＤ構成をセカンダリ・サービング・セルに対して実施するとき、プライマリ基地局はＴＤＤ構成を要求するセカンダリ・サービング・セルに対するＴＤＤ構成情報を積極的に決定し、第１のメッセージを端末に送信し、第１のメッセージをセカンダリ基地局に送信することができる。当該第１のメッセージは、第２の時点、セカンダリ・サービング・セルのＴＤＤ構成情報、およびセカンダリ・サービング・セルのアイデンティティを含む。その結果、セカンダリ基地局および端末がセカンダリ・サービング・セルのアップリンク・ダウンリンク・サブフレーム割当てをセカンダリ・サービング・セルのＴＤＤ構成情報に従って決定できる。当該実施形態では、セカンダリ基地局と端末の両方がプライマリ基地局により送信された第１のメッセージを受信し、セカンダリ基地局と端末の両方がセカンダリ・サービング・セルのアップリンク・ダウンリンク・サブフレーム割当てをセカンダリ・サービング・セルのＴＤＤ構成情報に従って決定した後、セカンダリ・サービング・セルのＴＤＤ構成が実現される。当該実施形態の１態様では、端末のプライマリ・サービング・セルとセカンダリ・サービング・セルが異なる基地局に属するとき、セカンダリ・サービング・セルのＴＤＤ構成を実現できることが分かる。当該実施形態の別の態様では、第１のメッセージがプライマリ基地局によりセカンダリ基地局に送信され、端末は第２の時点を含む。したがって、セカンダリ基地局と端末の両方は、セカンダリ・サービング・セルのＴＤＤ構成情報を当該第２の時点で有効にすることができ、それにより、セカンダリ・サービング・セルのＴＤＤ構成情報がセカンダリ基地局と端末で同時に有効になることが保証される。
【０１６０】
実施形態７
図８を参照する。図８は、当該実施形態に従うセカンダリ・サービング・セルの時分割多重構成を実装するための方法の流れ図である。当該方法は特に以下を含む。
【０１６１】
８０１で、プライマリ基地局が、セカンダリ基地局のセカンダリ・サービング・セルに対するＴＤＤ構成情報を決定する。
【０１６２】
プライマリ基地局がセカンダリ基地局のセカンダリ・サービング・セルに対するＴＤＤ構成情報を相対的に正確に決定できるようにするために、上述のステップ８０１をさらに以下のステップで置き換えてもよいことに留意されたい。
【０１６３】
８０１’で、セカンダリ基地局が要求メッセージをプライマリ基地局に送信する。当該要求メッセージは、セカンダリ・サービング・セルのダウンリンク・バッファのデータ量と端末のアップリンク・バッファのデータ量を含む。ステップ８０１’の前に、当該実施形態はさらに以下のステップを含む。
【０１６４】
セカンダリ基地局は、端末により送信されたバッファ・ステータス・レポート情報を受信し、当該バッファ・ステータス・レポート情報に従って端末のアップリンク・バッファ内のデータ量を決定する。特に、当該ステップを特に以下の方式で実装してもよい。
【０１６５】
セカンダリ基地局が、セカンダリ基地局と通信する複数の端末の各々が送信した最新のバッファ・ステータス・レポート情報の各々を受信し、複数の端末が送信したバッファ・ステータス・レポート情報に含まれるデータ量を平均して、各端末のアップリンク・バッファのデータ量を得るか、または、セカンダリ基地局が、セカンダリ基地局と通信する任意の端末が送信した複数のバッファ・ステータス・レポート情報を受信し、当該複数のバッファ・ステータス・レポート情報に含まれるデータ量を平均して、端末のアップリンク・バッファ内のデータ量を得るか、または、セカンダリ基地局が、セカンダリ基地局と通信する複数の端末が送信した複数のバッファ・ステータス・レポート情報を別々に受信し、当該複数の端末が送信した当該複数のバッファ・ステータス・レポート情報に含まれるデータ量を平均して、各端末のアップリンク・バッファのデータ量を得る。
【０１６６】
８０２’で、プライマリ基地局がセカンダリ基地局により送信された要求メッセージを受信し、セカンダリ基地局のセカンダリ・サービング・セルに対するＴＤＤ構成情報をセカンダリ・サービング・セルのダウンリンク・バッファ内のデータ量と端末のアップリンク・バッファ内のデータ量に従って決定する。当該ステップの具体的な実装方式は上述のステップ６０２’の実装方式と同じであり、ここでは再度例示することはしない。
【０１６７】
８０２で、プライマリ基地局第が１のメッセージを端末に送信する。当該第１のメッセージは、第３の時点、セカンダリ・サービング・セルのＴＤＤ構成情報、およびセカンダリ・サービング・セルのアイデンティティを含む。当該第３の時点は、セカンダリ・サービング・セルのＴＤＤ構成情報が端末で有効になるデフォルトの時点である。
【０１６８】
８０３で、プライマリ基地局により送信された当該第１のメッセージを受信した後、端末がセカンダリ・サービング・セルのＴＤＤ構成情報に従ってセカンダリ・サービング・セルのアップリンク・ダウンリンク・サブフレーム割当てを決定する。
【０１６９】
端末が、プライマリ基地局により送信された当該第１のメッセージを受信したとき、端末がセカンダリ・サービング・セルのＴＤＤ構成情報に従って当該第３の時点でセカンダリ基地局と通信し始めることに留意されたい。
【０１７０】
例えば、当該第３の時点は１０００番目のサブフレームであり、端末が、プライマリ基地局により送信された当該第１のメッセージを受信したとき、端末がセカンダリ・サービング・セルのＴＤＤ構成情報に従って１０００番目のサブフレームでセカンダリ基地局と通信し始める。
【０１７１】
８０４で、セカンダリ・サービング・セルのアップリンク・ダウンリンク・サブフレーム割当てをセカンダリ・サービング・セルのＴＤＤ構成情報に従って決定した後、セカンダリ・サービング・セルのアップリンク・ダウンリンク・サブフレーム割当ての決定の成功を示すために使用される応答メッセージを端末がプライマリ基地局に送信する。
【０１７２】
８０５で、プライマリ基地局が第２の送信時点を決定する。当該第２の送信時点はプライマリ基地局が第２のメッセージをセカンダリ基地局に送信する時点であり、当該第２の送信時点は予め記憶された第２の期間を当該第３の時点から差し引くことで得られた時点である。
【０１７３】
当該方法では、セカンダリ基地局が端末と通信する前に、上述の第２の期間はセカンダリ基地局に対して当業者により設定された当該第２のメッセージが受信された時点とセカンダリ・サービング・セルのＴＤＤ構成情報がセカンダリ基地局で有効になるデフォルトの時点の間の時間間隔であり、当該第２の期間がプライマリ基地局に保存される。
【０１７４】
例えば、当該第３の時点は１０００番目のサブフレームであり、予め記憶された第２の期間は２００個のサブフレームであり、当該第２の送信時点は８００番目のサブフレームである。当該ステップ８０５および上述のステップ８０３を実施する順序は限定されないことに留意されたい。
【０１７５】
８０６で、当該第２の送信時点に到達したとき、プライマリ基地局が当該第２のメッセージをセカンダリ基地局に送信する。当該第２のメッセージは、セカンダリ・サービング・セルのＴＤＤ構成情報とセカンダリ・サービング・セルのアイデンティティを含む。
【０１７６】
例えば、当該第２の送信時点は８００番目のサブフレームであり、８００番目のサブフレームに到達したとき、プライマリ基地局が当該第２のメッセージをセカンダリ基地局に送信する。
【０１７７】
８０７で、セカンダリ基地局が、プライマリ基地局により送信された当該第２のメッセージを受信し、セカンダリ・サービング・セルのアップリンク・ダウンリンク・サブフレーム割当てをセカンダリ・サービング・セルのＴＤＤ構成情報に従って決定する。
【０１７８】
セカンダリ基地局がプライマリ基地局により送信された当該第２のメッセージを受信したとき、セカンダリ基地局は、セカンダリ・サービング・セルのＴＤＤ構成情報に従って当該第３の時点で端末と通信し始めることに留意されたい。
【０１７９】
例えば、当該第３の時点は１０００番目のサブフレームであり、セカンダリ基地局がプライマリ基地局により送信された当該第２のメッセージを受信したとき、セカンダリ基地局は、セカンダリ・サービング・セルのＴＤＤ構成情報に従って１０００番目のサブフレームで端末と通信し始める。
【０１８０】
当該実施形態で提供したセカンダリ・サービング・セルの時分割多重構成を実装するための方法によれば、ＴＤＤ構成をセカンダリ・サービング・セルに対して実施するとき、プライマリ基地局は、ＴＤＤ構成を要求するセカンダリ・サービング・セルに対するＴＤＤ構成情報を積極的に決定し、第１のメッセージを端末に送信し、第２のメッセージをセカンダリ基地局に送信することができる。当該第１のメッセージは、第３の時点、セカンダリ・サービング・セルのＴＤＤ構成情報、およびセカンダリ・サービング・セルのアイデンティティを含み、当該第２のメッセージは、セカンダリ・サービング・セルのＴＤＤ構成情報とセカンダリ・サービング・セルのアイデンティティを含む。その結果、セカンダリ基地局および端末がセカンダリ・サービング・セルのアップリンク・ダウンリンク・サブフレーム割当てをセカンダリ・サービング・セルのＴＤＤ構成情報に従って決定することができる。当該実施形態では、端末が、プライマリ基地局により送信された当該第１のメッセージを受信し、セカンダリ基地局がプライマリ基地局により送信された当該第２のメッセージを受信し、端末とセカンダリ基地局の両方が、セカンダリ・サービング・セルのアップリンク・ダウンリンク・サブフレーム割当てをセカンダリ・サービング・セルのＴＤＤ構成情報に従って決定した後、セカンダリ・サービング・セルのＴＤＤ構成が実現される。当該実施形態の１態様では、端末のプライマリ・サービング・セルとセカンダリ・サービング・セルが異なる基地局に属するとき、セカンダリ・サービング・セルのＴＤＤ構成を実現できることが分かる。当該実施形態の別の態様では、セカンダリ基地局が第１のメッセージを受信した時点とセカンダリ・サービング・セルのＴＤＤ構成情報が有効になる時点の間の第２の期間が事前に設定される。したがって、プライマリ基地局が、第３の時点と当該第２の期間に従って、第２のメッセージがセカンダリ基地局に送信された第２の送信時点を決定することができる。それにより、セカンダリ・サービング・セルのＴＤＤ構成情報がセカンダリ基地局と端末で同時に有効になることが保証される。
【０１８１】
実施形態８
図９を参照する。図９は当該実施形態に従うプライマリ基地局９００の構造図である。プライマリ基地局９００は、セカンダリ基地局が送信したセカンダリ・サービング・セルの時分割多重ＴＤＤ構成情報とセカンダリ・サービング・セルのアイデンティティを受信し、セカンダリ・サービング・セルのＴＤＤ構成情報とセカンダリ・サービング・セルのアイデンティティを送信ユニット９０２に送信するように構成された受信ユニット９０１であって、セカンダリ・サービング・セルのＴＤＤ構成情報はセカンダリ・サービング・セルに対してセカンダリ基地局により決定される受信ユニット９０１と、上述の受信ユニットにより送信されたセカンダリ・サービング・セルのＴＤＤ構成情報とセカンダリ・サービング・セルのアイデンティティを受信し、セカンダリ・サービング・セルのＴＤＤ構成情報とセカンダリ・サービング・セルのアイデンティティを端末に送信して、端末が当該ＴＤＤ構成情報に従ってセカンダリ・サービング・セルのアップリンク・ダウンリンク・サブフレーム割当てを決定するようにするように構成された送信ユニット９０２とを備える。
【０１８２】
さらに、上述の受信ユニット９０１は特に、セカンダリ基地局が送信した第１のメッセージを受信し、当該第１のメッセージを送信ユニット９０２に送信するように構成される。当該第１のメッセージは第１の時点、セカンダリ基地局のセカンダリ・サービング・セルのＴＤＤ構成情報、およびセカンダリ・サービング・セルのアイデンティティを含み、当該第１の時点はプライマリ基地局が第２のメッセージを端末に送信する時点を示すために使用される。上述の送信ユニット９０２は特に、受信ユニット９０１により送信された当該第１のメッセージを受信し、当該第１の時点に到達したときに、当該第２のメッセージを端末に送信するように構成される。当該第２のメッセージは、セカンダリ・サービング・セルのＴＤＤ構成情報とセカンダリ・サービング・セルのアイデンティティを含む。
【０１８３】
さらに、上述の受信ユニット９０１は特に、セカンダリ基地局が送信した第１のメッセージを受信し、当該第１のメッセージを当該送信ユニットに送信するように構成される。当該第１のメッセージは、第２の時点、セカンダリ基地局のセカンダリ・サービング・セルのＴＤＤ構成情報、およびセカンダリ・サービング・セルのアイデンティティを含み、当該第２の時点はセカンダリ・サービング・セルのＴＤＤ構成情報がセカンダリ基地局と端末で別々に有効になった時点である。上述の送信ユニット９０２は特に、上述の受信ユニット９０１が送信した当該第１のメッセージを受信し、当該第２の時点に到達する前に、当該第１のメッセージを端末に送信するように構成される。
【０１８４】
さらに、図１０を参照すると、上述のプライマリ基地局はさらに、受信ユニット９０１がセカンダリ・サービング・セルのＴＤＤ構成情報とセカンダリ・サービング・セルのアイデンティティを受信した後、第３の時点を決定し、当該第３の時点を送信ユニット９０２に送信するように構成された決定ユニット９０３を備える。当該第３の時点は、受信ユニット９０１がセカンダリ・サービング・セルのＴＤＤ構成情報とセカンダリ・サービング・セルのアイデンティティを受信した時点に予め記憶された第１の期間を追加することで得られた時点であり、当該第３の時点は、セカンダリ・サービング・セルのＴＤＤ構成情報が端末で有効になるデフォルトの時点であり、当該第１の期間は、端末が当該第２のメッセージを受信した時点とセカンダリ・サービング・セルのＴＤＤ構成情報が端末で有効になるデフォルトの時点の間の時間間隔である。上述の送信ユニット９０２は特に、上述の決定ユニット９０３が送信した当該第３の時点を受信し、当該第３の時点に到達する前に、第２のメッセージを端末に送信するように構成される。当該第２のメッセージは、当該第３の時点、セカンダリ・サービング・セルのＴＤＤ構成情報、およびセカンダリ・サービング・セルのアイデンティティを含む。
【０１８５】
当該実施形態で提供したプライマリ基地局によれば、端末がセカンダリ・サービング・セルのＴＤＤ構成情報に従ってセカンダリ・サービング・セルのアップリンク・ダウンリンク・サブフレーム割当てを決定するように、ＴＤＤ構成をセカンダリ・サービング・セルに対して実施するとき、プライマリ基地局はセカンダリ基地局により送信されたセカンダリ・サービング・セルのＴＤＤ構成情報およびセカンダリ・サービング・セルのアイデンティティを受信することができ、プライマリ基地局はセカンダリ・サービング・セルのＴＤＤ構成情報とセカンダリ・サービング・セルのアイデンティティを端末に送信することができる。当該実施形態では、端末が、プライマリ基地局により送信されたセカンダリ・サービング・セルのＴＤＤ構成情報とセカンダリ・サービング・セルのアイデンティティを受信し、セカンダリ・サービング・セルのアップリンク・ダウンリンク・サブフレーム割当てをセカンダリ・サービング・セルのＴＤＤ構成情報に従って決定した後、セカンダリ・サービング・セルのＴＤＤ構成が実現される。当該実施形態の１態様では、端末のプライマリ・サービング・セルとセカンダリ・サービング・セルが異なる基地局に属するとき、セカンダリ・サービング・セルのＴＤＤ構成を実現できることが分かる。別の態様では、セカンダリ・サービング・セルのＴＤＤ構成情報がセカンダリ基地局と端末に対して同時に有効になることが保証される。
【０１８６】
実施形態９
図１１を参照する。図１１は当該実施形態に従うプライマリ基地局１０００の構造図である。プライマリ基地局１０００は、セカンダリ基地局のセカンダリ・サービング・セルに対する時分割多重ＴＤＤ構成情報を決定し、セカンダリ・サービング・セルのＴＤＤ構成情報を送信ユニット１００２に送信するように構成された割当てユニット１００１と、上述の割当てユニット１００１が送信したセカンダリ・サービング・セルのＴＤＤ構成情報を受信し、セカンダリ・サービング・セルのＴＤＤ構成情報およびセカンダリ・サービング・セルのアイデンティティをセカンダリ基地局に送信し、セカンダリ・サービング・セルのＴＤＤ構成情報とセカンダリ・サービング・セルのアイデンティティを端末に送信して、セカンダリ基地局と端末がセカンダリ・サービング・セルのＴＤＤ構成情報に従ってセカンダリ・サービング・セルのアップリンク・ダウンリンク・サブフレーム割当てを決定するようにするように構成された送信ユニット１００２とを備える。
【０１８７】
さらに、上述の送信ユニット１００２は特に、第１のメッセージをセカンダリ基地局に送信するように構成される。当該第１のメッセージは、第１の時点、セカンダリ・サービング・セルのＴＤＤ構成情報、およびセカンダリ・サービング・セルのアイデンティティを含み、当該第１の時点は、セカンダリ・サービング・セルのＴＤＤ構成情報がセカンダリ基地局で有効になるデフォルトの時点である。
【０１８８】
さらに、図１２を参照すると、上述のプライマリ基地局はさらに、第１の送信時点を決定し、当該第１の送信時点を上述の送信ユニット１００２に送信するように構成された第１の決定ユニット１００３を備える。当該第１の送信時点は予め記憶された第１の期間を当該第１の時点から差し引くことで得られる時点であり、当該第１の期間は端末が第２のメッセージを受信した時点とセカンダリ・サービング・セルのＴＤＤ構成情報が端末で有効になるデフォルトの時点の間の時間間隔である。上述の送信ユニット１００２はさらに、特に、上述の第１の決定ユニット１００３が送信した当該第１の送信時点を受信し、当該第１の送信時点に到達したとき、当該第２のメッセージを端末に送信するように構成される。当該第２のメッセージは、セカンダリ・サービング・セルのＴＤＤ構成情報とセカンダリ・サービング・セルのアイデンティティを含む。
【０１８９】
さらに、上述の送信ユニット１００２は特に、第１のメッセージをセカンダリ基地局に送信し、当該第１のメッセージを端末に送信するように構成される。当該第１のメッセージは、第２の時点、セカンダリ・サービング・セルのＴＤＤ構成情報、およびセカンダリ・サービング・セルのアイデンティティを含み、当該第２の時点はセカンダリ・サービング・セルのＴＤＤ構成情報がセカンダリ基地局と端末で別々に有効になった時点である。
【０１９０】
さらに、上述の送信ユニット１００２は特に、第１のメッセージを端末に送信するように構成される。当該第１のメッセージは、第３の時点、セカンダリ・サービング・セルのＴＤＤ構成情報、およびセカンダリ・サービング・セルのアイデンティティを含み、当該第３の時点はセカンダリ・サービング・セルのＴＤＤ構成情報がセカンダリ基地局と端末で別々に有効になった時点である。
【０１９１】
さらに、図１３を参照すると、上述のプライマリ基地局はさらに、第２の送信時点を決定し、当該第２の送信時点を上述の送信ユニット１００２に送信するように構成された第２の決定ユニット１００４を備える。当該第２の送信時点は予め記憶された第２の期間を当該第３の時点から差し引くことで得られた時点であり、当該第２の期間は、セカンダリ基地局が第２のメッセージを受信した時点とセカンダリ・サービング・セルのＴＤＤ構成情報がセカンダリ基地局で有効になるデフォルトの時点の間の時間間隔である。上述の送信ユニット１００２はさらに、特に、上述の第２の決定ユニット１００４により送信された当該第２の送信時点を受信し、当該第２の送信時点に到達したとき、当該第２のメッセージをセカンダリ基地局に送信するように構成される。当該第２のメッセージは、セカンダリ・サービング・セルのＴＤＤ構成情報とセカンダリ・サービング・セルのアイデンティティを含む。
【０１９２】
さらに、図１４を参照すると、上述のプライマリ基地局はさらに、セカンダリ基地局により送信された要求メッセージを受信し、当該要求メッセージを上述の割当てユニット１００１に送信するように構成された受信ユニット１００５であって、当該要求メッセージはセカンダリ・サービング・セルのダウンリンク・バッファのデータ量と端末のアップリンク・バッファのデータ量を含む受信ユニット１００５を備える。上述の割当てユニット１００１は特に、上述の受信ユニット１００５により送信された要求メッセージを受信し、セカンダリ基地局のセカンダリ・サービング・セルに対するＴＤＤ構成情報を、セカンダリ・サービング・セルのダウンリンク・バッファ内のデータ量と端末のアップリンク・バッファ内のデータ量に従って決定するように構成される。
【０１９３】
当該実施形態で提供したプライマリ基地局によれば、当該実施形態に従って、セカンダリ基地局および端末がセカンダリ・サービング・セルのアップリンク・ダウンリンク・サブフレーム割当てをセカンダリ・サービング・セルのＴＤＤ構成情報に従って決定できるように、ＴＤＤ構成をセカンダリ・サービング・セルに対して実施するとき、プライマリ基地局は、ＴＤＤ構成を要求するセカンダリ・サービング・セルに対するＴＤＤ構成情報を積極的に決定し、セカンダリ・サービング・セルのＴＤＤ構成情報とセカンダリ・サービング・セルのアイデンティティをセカンダリ基地局と端末に別々に送信することができる。当該実施形態では、セカンダリ基地局と端末の両方がプライマリ基地局により送信されたセカンダリ・サービング・セルのＴＤＤ構成情報とセカンダリ・サービング・セルのアイデンティティを受信し、セカンダリ・サービング・セルのアップリンク・ダウンリンク・サブフレーム割当てをセカンダリ・サービング・セルのＴＤＤ構成情報に従って決定した後、セカンダリ・サービング・セルのＴＤＤ構成が実現される。当該実施形態の１態様では、端末のプライマリ・サービング・セルとセカンダリ・サービング・セルが異なる基地局に属するとき、セカンダリ・サービング・セルのＴＤＤ構成を実現できることが分かる。別の態様では、セカンダリ・サービング・セルのＴＤＤ構成情報がセカンダリ基地局と端末に対して同時に有効になることが保証される。
【０１９４】
実施形態１０
図１５を参照する。図１５は、当該実施形態に従うセカンダリ基地局１１００の構造図である。セカンダリ基地局１１００は、セカンダリ基地局のセカンダリ・サービング・セルに対する時分割多重ＴＤＤ構成情報を決定し、セカンダリ・サービング・セルのＴＤＤ構成情報を送信ユニット１１０２に送信するように構成された割当てユニット１１０１と、上述の割当てユニット１１０１により送信されたセカンダリ・サービング・セルのＴＤＤ構成情報を受信し、セカンダリ・サービング・セルのＴＤＤ構成情報とセカンダリ・サービング・セルのアイデンティティをプライマリ基地局に送信して、プライマリ基地局がセカンダリ・サービング・セルのＴＤＤ構成情報とセカンダリ・サービング・セルのアイデンティティを端末に送信し、したがって端末がセカンダリ・サービング・セルのＴＤＤ構成情報に従ってセカンダリ・サービング・セルのアップリンク・ダウンリンク・サブフレーム割当てを決定するようにするように構成された当該送信ユニット１１０２とを備える。
【０１９５】
さらに、送信ユニット１１０２は特に、当該第１の時点に到達したときに、プライマリ基地局が当該第２のメッセージを端末に送信するように、割当てユニット１１０１により送信されたセカンダリ・サービング・セルのＴＤＤ構成情報を受信し、第１のメッセージをプライマリ基地局に送信するように構成される。当該第１のメッセージは、第１の時点、セカンダリ・サービング・セルのＴＤＤ構成情報、およびセカンダリ・サービング・セルのアイデンティティを含み、当該第１の時点はプライマリ基地局が第２のメッセージを端末に送信する時点を示すために使用され、当該第２のメッセージは、セカンダリ・サービング・セルのＴＤＤ構成情報とセカンダリ・サービング・セルのアイデンティティを含む。
【０１９６】
さらに、送信ユニット１１０２は特に、プライマリ基地局が当該第１のメッセージを端末に送信するように、割当てユニット１１０１により送信されたセカンダリ・サービング・セルのＴＤＤ構成情報を受信し、第１のメッセージをプライマリ基地局に送信するように構成される。当該第１のメッセージは、第２の時点、セカンダリ・サービング・セルのＴＤＤ構成情報、およびセカンダリ・サービング・セルのアイデンティティを含み、当該第２の時点はセカンダリ・サービング・セルのＴＤＤ構成情報がセカンダリ基地局と端末で別々に有効になった時点である。
【０１９７】
当該実施形態で提供したセカンダリ基地局によれば、当該実施形態に従って、ＴＤＤ構成をセカンダリ・サービング・セルに対して実施するとき、セカンダリ基地局が、ＴＤＤ構成を要求するセカンダリ基地局のセカンダリ・サービング・セルに対するＴＤＤ構成情報を積極的に決定し、セカンダリ・サービング・セルのＴＤＤ構成情報とセカンダリ・サービング・セルのアイデンティティをプライマリ基地局に送信することができる。したがって、セカンダリ基地局により送信されたセカンダリ・サービング・セルのＴＤＤ構成情報とセカンダリ・サービング・セルのアイデンティティを受信した後、端末がセカンダリ・サービング・セルのアップリンク・ダウンリンク・サブフレーム割当てをセカンダリ・サービング・セルのＴＤＤ構成情報に従って決定できるように、プライマリ基地局はセカンダリ・サービング・セルのＴＤＤ構成情報とセカンダリ・サービング・セルのアイデンティティを端末に送信することができる。当該実施形態では、端末が、プライマリ基地局により送信されたセカンダリ・サービング・セルのＴＤＤ構成情報とセカンダリ・サービング・セルのアイデンティティを受信し、セカンダリ・サービング・セルのアップリンク・ダウンリンク・サブフレーム割当てをセカンダリ・サービング・セルのＴＤＤ構成情報に従って決定した後、セカンダリ・サービング・セルのＴＤＤ構成が実現される。当該実施形態の１態様では、端末のプライマリ・サービング・セルとセカンダリ・サービング・セルが異なる基地局に属するとき、セカンダリ・サービング・セルのＴＤＤ構成を実現できることが分かる。別の態様では、セカンダリ・サービング・セルのＴＤＤ構成情報がセカンダリ基地局と端末に対して同時に有効になるが保証される。
【０１９８】
実施形態１１
図１６を参照する。図１６は、当該実施形態に従うセカンダリ基地局１２００の構造図である。セカンダリ基地局１２００は、セカンダリ基地局がセカンダリ・サービング・セルのＴＤＤ構成情報に従ってセカンダリ・サービング・セルのアップリンク・ダウンリンク・サブフレーム割当てを決定するように、プライマリ基地局が送信したセカンダリ基地局のセカンダリ・サービング・セルの時分割多重ＴＤＤ構成情報とセカンダリ・サービング・セルのアイデンティティを受信するように構成された受信ユニット１２０１を備える。
【０１９９】
さらに、上述の受信ユニット１２０１はさらに、端末が送信した端末のバッファ・ステータス・レポート情報を受信し、当該バッファ・ステータス・レポート情報を決定ユニット１２０２に送信するように構成される。
【０２００】
さらに、受信ユニット１２０１は特に、プライマリ基地局により送信された第１のメッセージを受信するように構成される。当該第１のメッセージは、第１の時点、セカンダリ・サービング・セルのＴＤＤ構成情報、およびセカンダリ・サービング・セルのアイデンティティを含み、第１の時点は、セカンダリ・サービング・セルのＴＤＤ構成情報がセカンダリ基地局で有効になるデフォルトの時点である。
【０２０１】
さらに、図１７を参照すると、上述のセカンダリ基地局はさらに、上述の受信ユニット１２０１により送信されたバッファ・ステータス・レポート情報を受信し、端末のアップリンク・バッファ内のデータ量を当該バッファ・ステータス・レポート情報に従って決定し、端末のアップリンク・バッファ内のデータ量を送信ユニットに送信するように構成された決定ユニット１２０２と、端末のアップリンク・バッファにおいて、決定ユニット１２０２により送信されたデータ量を受信し、要求メッセージをプライマリ基地局に送信するように構成された送信ユニット１２０３であって、当該要求メッセージは、セカンダリ・サービング・セルのダウンリンク・バッファ内のデータ量と端末のアップリンク・バッファ内のデータ量を含む送信ユニット１２０３とを備える。
【０２０２】
当該実施形態で提供したセカンダリ基地局によれば、当該実施形態では、ＴＤＤ構成をセカンダリ・サービング・セルに対して実施するとき、セカンダリ基地局は、プライマリ基地局により送信されたセカンダリ・サービング・セルのＴＤＤ構成情報およびセカンダリ・サービング・セルのアイデンティティを受信し、セカンダリ・サービング・セルのアップリンク・ダウンリンク・サブフレーム割当てをセカンダリ・サービング・セルのＴＤＤ構成情報に従って決定することができる。当該実施形態では、セカンダリ基地局と端末の両方がプライマリ基地局により送信されたセカンダリ・サービング・セルのＴＤＤ構成情報とセカンダリ・サービング・セルのアイデンティティを受信し、セカンダリ・サービング・セルのアップリンク・ダウンリンク・サブフレーム割当てをセカンダリ・サービング・セルのＴＤＤ構成情報に従って決定した後、セカンダリ・サービング・セルのＴＤＤ構成が実現される。当該実施形態の１態様では、端末のプライマリ・サービング・セルとセカンダリ・サービング・セルが異なる基地局に属するとき、セカンダリ・サービング・セルのＴＤＤ構成を実現できることが分かる。別の態様では、セカンダリ基地局上のセカンダリ・サービング・セルのＴＤＤ構成情報と端末上のセカンダリ・サービング・セルのＴＤＤ構成情報が同時に同期されるが保証される。
【０２０３】
図１８を参照する。図１８は当該実施形態に従うセカンダリ・サービング・セルの時分割多重構成を実装するためのシステムの構造図である。当該システムは、端末１３００、実施形態８の上述のプライマリ基地局９００、および実施形態１０の上述のセカンダリ基地局１１００を備える。
【０２０４】
図１９を参照する。図１９は、当該実施形態に従うセカンダリ・サービング・セルの時分割多重構成を実装するための別のシステムの構造図である。当該システムは、端末１３００、実施形態９の上述のプライマリ基地局１０００、および実施形態１１の上述のセカンダリ基地局１２００を備える。
【０２０５】
当該実施形態で提供したセカンダリ・サービング・セルの時分割多重構成を実装するためのシステムによれば、当該システムに従って、ＴＤＤ構成をセカンダリ・サービング・セルに対して実施するとき、セカンダリ基地局が、ＴＤＤ構成を要求するセカンダリ基地局のセカンダリ・サービング・セルに対するＴＤＤ構成情報を積極的に決定し、セカンダリ・サービング・セルのＴＤＤ構成情報とセカンダリ・サービング・セルのアイデンティティをプライマリ基地局に送信することができる。したがって、端末がセカンダリ・サービング・セルのＴＤＤ構成情報に従ってセカンダリ・サービング・セルのアップリンク・ダウンリンク・サブフレーム割当てを決定するように、プライマリ基地局が、セカンダリ基地局により送信されたセカンダリ・サービング・セルのＴＤＤ構成情報とセカンダリ・サービング・セルのアイデンティティを受信し、セカンダリ・サービング・セルのＴＤＤ構成情報とセカンダリ・サービング・セルのアイデンティティを端末に送信することができる。あるいは、セカンダリ基地局および端末がセカンダリ・サービング・セルのアップリンク・ダウンリンク・サブフレーム割当てをセカンダリ・サービング・セルのＴＤＤ構成情報に従って決定できるように、プライマリ基地局が、ＴＤＤ構成を要求するセカンダリ・サービング・セルに対するＴＤＤ構成情報を積極的に決定し、セカンダリ・サービング・セルのＴＤＤ構成情報とセカンダリ・サービング・セルのアイデンティティをセカンダリ基地局と端末に別々に送信する。当該実施形態では、セカンダリ基地局と端末の両方がセカンダリ・サービング・セルのＴＤＤ構成情報を取得し、セカンダリ・サービング・セルのアップリンク・ダウンリンク・サブフレーム割当てをセカンダリ・サービング・セルのＴＤＤ構成情報に従って決定した後、セカンダリ・サービング・セルのＴＤＤ構成が実現される。当該実施形態によれば、端末のプライマリ・サービング・セルとセカンダリ・サービング・セルが異なる基地局に属するとき、セカンダリ・サービング・セルのＴＤＤ構成を実現できることが分かる。
【０２０６】
種々の実装方式の以上の説明に基づいて、本発明を必要な普遍的なハードウェアに加えてソフトウェアにより実装してもよく、または、ハードウェアのみにより実装してもよいことは当業者には明らかに理解される。殆どの場合、前者が好適な実装方式である。かかる理解のもと、本発明の技術的解決策を基本的に、または、先行技術に貢献する本発明の部分をソフトウェア製品の形で実装してもよい。当該ソフトウェア製品は、コンピュータのフロッピー・ディスク（登録商標）、ハード・ディスク、または光ディスクのような可読記憶媒体に格納され、本発明の諸実施形態で説明した方法を実施するようにコンピュータ装置（パーソナル・コンピュータ、サーバ、ネットワーク装置等であってもよい）に指示するための幾つかの命令を含む。
【０２０７】
以上の説明は本発明の具体的な実装方式にすぎず、本発明の保護範囲を限定しようとするものではない。当業者が本発明で開示した技術範囲内で容易に想到する任意の変形または置換えは本発明の保護範囲に入るものとする。したがって、本発明の保護範囲は特許請求の範囲の保護範囲に支配される。
【符号の説明】
【０２０８】
９００  プライマリ基地局
９０１  受信ユニット
９０２  送信ユニット
９０３  決定ユニット
１０００  プライマリ基地局
１００１  割当てユニット
１００２  送信ユニット
１００３  第１の決定ユニット
１００４  第２の決定ユニット
１００５  受信ユニット
１１００  セカンダリ基地局
１１０１  割当てユニット
１１０２  送信ユニット
１２００  セカンダリ基地局
１２０１  受信ユニット
１２０２  決定ユニット
１２０３  送信ユニット
１３００  端末
【図１】
0005998401.tif 000002
【図２】
0005998401.tif 000003
【図３】
0005998401.tif 000004
【図４】
0005998401.tif 000005
【図５】
0005998401.tif 000006
【図６】
0005998401.tif 000007
【図７】
0005998401.tif 000008
【図８】
0005998401.tif 000009
【図９】
0005998401.tif 000010
【図１０】
0005998401.tif 000011
【図１１】
0005998401.tif 000012
【図１２】
0005998401.tif 000013
【図１３】
0005998401.tif 000014
【図１４】
0005998401.tif 000015
【図１５】
0005998401.tif 000016
【図１６】
0005998401.tif 000017
【図１７】
0005998401.tif 000018
【図１８】
0005998401.tif 000019
【図１９】
0005998401.tif 000020